(57)【要約】【課題】全体を薄型化して水栓の下方に作業スペースを確保すると共に、扁平状の独特な外観により意匠性を向上する。【解決手段】基部１０の平面方向に延びる通水路２９，２８を介して、原水入水口１３，２４からの原水を吐水部４０又は外部浄水器に選択的に給水する。通水路２９は、原水入水口と直接的に連通する。通水路２８は、通水路２９の上流端と連通し、吐水部４０まで延びる。吐水部４０は、基部１０の前方に隣接して配設される。弁座５８は、通水路２９の下流側端部に配設される。弁切換部材１００は、弁体１０３〜１０６を通水路２９の基端部よりも下流側で弁座５８に着座させ、原水入水口を通水路２８に連通させる原水吐出モードと、弁体を通水路２９の基端部よりも上流側に位置させ、原水入水口を原水出水口に連通させる浄水吐出モードとの間で切換自在である。【選択図】図１
2014227746.tif 000002
【特許請求の範囲】
【請求項１】
水栓の吐水口に接続自在な原水入水口と、外部の浄水器に接続自在な原水出水口と、前記原水入水口と前記原水出水口とを連通する通水路とを有する扁平状の基部と、
前記基部に隣接して配設され、内部に通水空間を有すると共に下面に吐水口を有する扁平状の吐水部と、
前記基部の通水路の下流側に配設される弁座と、
前記基部の通水路の上流側に配設される弁体を有し、前記弁体を前記弁座に対して着座及び離間自在とする弁切換部材とを備え、
前記基部の通水路は、前記原水入水口の直下位置で当該原水入水口と直接的に連通する基端部を有して前記基部の略平面方向における第１の方向に前記原水出水口まで延びる第１の通水路と、前記第１の通水路の基端部よりも上流側となる位置で前記第１の通水路の基端部と連通すると共に前記基部の略平面方向において前記第１の方向と交差する第２の方向に前記吐水部の通水空間まで延びて前記吐水部の通水空間と連通する第２の通水路とを有し、
前記吐水部は、前記基部の略平面方向における第２の方向に隣接して配設されて、前記通水空間を前記基部の略平面方向における第２の方向に配置し、
前記弁座は、前記第１の通水路の下流側端部に配設され、
前記弁切換部材は、前記弁体を前記第１の通水路の基端部よりも下流側で前記弁座に着座させて、前記基部の原水入水口を第１の通水路の基端部を介して前記第２の通水路に連通させる原水吐出モードと、前記弁体を前記第１の通水路の基端部よりも上流側に位置させて、前記基部の原水入水口を第１の通水路の基端部を介して前記原水出水口に連通させる浄水吐出モードとの間で切換自在であることを特徴とする扁平状切換コック。
【請求項２】
前記基部の第１の通水路は、前記基部の内部を当該基部の左右方向に延びる左右通水路からなり、前記左右通水路は、前記原水入水口の底壁の厚みと当該左右通水路を形成する筒体の周壁の厚みとの合計の上下寸法を有する原水入水孔のみを介して、前記原水入水口と連通し、
前記基部の第２の通水路は、前記左右通水路と対応する上下方向寸法の範囲内で前記基部の前後方向に延びる前後通水路からなることを特徴とする請求項１記載の扁平状切換コック。
【請求項３】
前記弁切換部材は、軸心を中心として回動自在な所定直径の円柱状をなす栓棒と、前記栓棒よりも小径の円柱状をなして前記栓棒の先端と前記弁体とを連結する連結部と、前記連結部よりも大径の前記弁体とからなり、前記連結部によって前記栓棒の先端と前記弁体の基端との間に円筒状の間隙空間を形成する段付き円柱状に形成されて、前記左右通水路と対応する上下方向寸法の範囲内で前記左右通水路と同軸状となるよう、前記栓棒及び前記連結部及び前記弁体を前記基部の内部に収容配置し、
前記基部は、前記栓棒と同一の内径を有する円筒状をなして前記栓棒を摺動自在に収容する栓棒収容筒と、前記栓棒収容筒よりも大径の円筒状をなして前記連結部を前記間隙空間に相当する間隙をもって収容する連絡部とを有すると共に、前記連絡部の上側を切り欠いて通水開口を形成し、
前記基部の前後通水路は、前記基部の通水開口と対応する上下方向寸法の範囲内で前記通水開口から前記吐水部の通水空間まで延びることを特徴とする請求項２記載の扁平状切換コック。
【請求項４】
前記吐水部は、前記基部と略同一の上下方向寸法を有して、前記基部とほぼ完全に重なるように前記基部の前方に配設されることを特徴とする請求項１乃至３の記載のいずれか１項記載の扁平状切換コック。
【請求項５】
更に、前記基部における前記原水出水部の下流端側の側面に着脱自在に装着される浄水側ユニットを備え、
前記浄水側ユニットは、前記基部と略同一の上下方向寸法を有して、前記基部とほぼ完全に重なるように前記基部の側方に配設され、
前記浄水側ユニットは、前記基部の原水出水口に上流側端部を挿入して接続自在な原水導水路を有すると共に、前記原水導水路の先端部に前記弁座を一体形成して、前記基部に装着されたときに、前記通水路の上流側端部を前記基部の原水出水口に挿入して接続すると共に、前記基部の第１の通水路の下流側端部に前記弁座を配置することを特徴とする請求項１乃至４のいずれか１項記載の扁平状切換コック。
【発明の詳細な説明】
【技術分野】
【０００１】
本発明は、例えば流し台（シンク）に設置されるキッチン水栓の吐水口に装着されて水栓からの原水を原水吐水モードと浄水吐水モードとの間で切換自在な扁平状切換コックに関し、特に、吐水口の下方のスペースが限られた水栓の吐水口に装着される扁平状切換コックに関するものである。
【背景技術】
【０００２】
従来の切換コックの発明として、例えば、特許文献１に記載の発明及び特許文献２に記載の発明がある。特許文献１の発明の概要について、特許文献１中の図面に付された部材番号を付して説明すると、この発明は、本体１０に切換部材７０を装着して構成される。また、本体１０は、基部１１、一次入口部１２、一次出口部１３、二次出口部１４、二次入口部１５、三次出口部１８及び取付部１７を鍛造して一体形成される。切換部材７０は、取付部１７及び嵌合部７３を嵌合して装着し、軸部７１及び弁体７２を本体１０内に配置する。そして、ハンドル７４を正逆回転することにより、弁体７２が往復移動して、第２の弁座２２に着座する第１の弁位置と、第１の弁座２１に着座する第２の弁位置との間で切り替えられる。（以上、要約参照。）これにより、特許文献１の発明は、全体の部品点数を少なくして全体の構造と比較的簡単な構造とすると共に、相対的に低コストとすることができ、また、特に切換部品周りの強度を十分に確保して高い動作安定性を発揮し、かつ、弁切換動作も簡単に行うことができ、更に、必要な場合は切換部品の交換も簡単に行える構造とすることができるという特有の作用効果を発揮する。（以上、段落［０００６］参照）
【０００３】
特許文献２の発明の概要について、特許文献２中の図面に付された部材番号を付して説明すると、この発明は、バルブ本体１１の略中央部に、浄水器へ原水を送り込む送出口１１ｂと、浄水器からの浄水が流入してくる浄水口１１ｃと、原水口１１ａとが開口する切換室Ｒ１を形成し、この切換室Ｒ１内に、原水口１１ａは閉塞しないで送出口１１ｂと原水口１１ｃとの間で移動されるとともに、第１弁座１４ａに当接する切換弁体１２を配置し、この切り替え弁体１２を切換ハンドル１２ｂによって進退される弁軸１２ａの内端に取り付けるとともに、この弁軸１２ａを、切換室Ｒ１内に固定的に挿入されて、第２弁座１４ｂと原水口１１ａに連通する連通室Ｒ３とを形成した支持筒１３の中心に軸支し、バルブ本体１１の下部に切換室Ｒ１に通水口１１ｂを介して連通する分配室Ｒ２を形成する。（以上、要約参照。）これにより、特許文献２の発明は、浄水が通る部分と原水が通る部分とをなるべく長く共通化することによって、原水を通したときにはこの共通している通路の殺菌を行って、雑菌が殆ど存在しない浄水を常時吐出させることのできる浄水器用の切換バルブを簡単な構造によって提供することができる。（以上、段落［００１１］参照。）
【先行技術文献】
【特許文献】
【０００４】
【特許文献１】国際公開第２０１１／０６７８１９号
【特許文献２】特開２００４−３４６９５８号公報
【発明の概要】
【発明が解決しようとする課題】
【０００５】
基本的には、従来の切換コックは、流し台（シンク）に設置された混合水栓等の水栓の吐水口に装着される略円筒状の本体を備えている。また、従来の切換コックは、当該本体には入水口及び出水口が設けられ、その入水口を水栓の吐水口に着脱自在に装着すると共に、本体に内蔵した切換弁を本体外部のハンドルによって弁切換操作することにより、入水口からの原水をそのまま出水口から原水吐水モードと、入水口からの原水を浄水器により浄水とした後に当該浄水を出水口から吐出する浄水吐水モードとの間で切り換えるように構成されている。ここで、切換コックの浄水吐水モードでは、水栓の吐水口から切換コックの入水口に入水した原水を一旦外部の浄水器（又は切換コックに併設した浄水カートリッジ）に通水する一方、特に切換コックの原水吐水モードでは、水栓の吐水口から切換コックの入水口に入水した原水をそのまま下方に流動させて出水口からそのまま下方に吐出することが自然な動作（又は自然な流水経路）となることから、切換コックの本体は、必然的に、入水口の直下に出水口を配置する構成となり、全体が略円筒状となる。即ち、水栓の吐水口から吐出される原水が、切換コックの本体内部を上方から下方へと向かって流動するよう（換言すれば、切換コックの入水口と出水口とを結ぶ軸線に沿って垂直方向に流動するよう）切換コックの本体内部の流路が形成される。例えば、特許文献１の切換コック及び特許文献２の切換コックでも、切換コックの本体は略円筒状をなし、その入水口及び出水口は、共に、切換コックの本体の軸線上に配置され、入水口の中心と出水口の中心とを結ぶ線（仮想線）が切換コックの軸線と一致するよう、切換コックの内部流路が形成されている。
【０００６】
また、ここで、水栓の吐水口に切換コックを装着しない通常状態で、使用者がシンクにおいて水栓から吐水して食器洗い等の作業をする場合の使用者の作業空間の高さ方向寸法は、水栓の吐水口の下端からシンクの底面までの間の空間の高さ方向寸法となるが、水栓の吐水口に切換コックを装着したコック取付状態では、その作業空間の高さ方向寸法は、切換コックの高さ（即ち、略円筒状の本体の軸長又は入水口から出水口までの長さ）だけ小さくなる。よって、特に、水栓のデザイン上の要請等により、水栓の吐水口からシンクの底面までの距離が（一般的な場合に比較して）相対的に小さくなるような水栓をシンクに設置している場合、そのような水栓に切換コックを装着すると、使用者の作業空間を更に小さくすることになり、使用者が洗い物等をする場合に非常に窮屈な作業を強いられることになる。したがって、このような事態を防止するためには、切換コックの本体の軸長をできるだけ小さくすることが望ましいが、上記のとおり、従来の切換コックでは、水栓の吐水口からの原水の自然な流動を妨げないよう、入水口と出水口とを本体の軸線上に配置する要請がある一方、切換コックの本体内部には、入水口と出水口とを結ぶ流路の途中に切換弁用の各種部品を収容配置する必要があるため、本体の軸長は、入水口部分の軸長と、出水口部分の軸長と、（入水口部分の下端と出水口部分の上端との間の）切換弁用の各種部品収容配置用のスペース部分の軸長とを合計した軸長以下とすることができず、本体の軸長を短くするには限界があった。このような（本体の軸長低減の）限界は、上記特許文献１の発明及び特許文献２の発明についても同様に存在する。
【０００７】
そこで、本発明は、水栓の吐水口に装着される扁平状切換コックにおいて、水栓の吐水口への取付部分から扁平状切換コック自体の吐水面までとなる（従来の切換コックの本体の軸長に相当する）扁平状切換コック全体の高さ寸法を、扁平状切換コックの吐水部の厚み寸法と同等の寸法まで縮小することができ、水栓の吐水口からシンクの底面までの距離が（一般的な場合に比較して）相対的に小さくなるような水栓に取り付けた場合でも、食器洗い等の作業をする場合の使用者の作業空間を十分に確保することができ、洗い物等をする場合に使用者に窮屈な作業を強いることのないようにすることが可能で、かつ、この場合でも、十分な通水量を確保することができることに加え、全体を扁平状としたこと当該扁平形状による独特な外観を呈して製品としての意匠性を向上することができる扁平状切換コックの提供を課題とする。
【課題を解決するための手段】
【０００８】
本発明に係る扁平状切換コックは、基部、吐水部、弁座、及び、弁切換部材を備える。基部は、水栓の吐水口に接続自在な原水入水口と、外部の浄水器に接続自在な原水出水口と、前記原水入水口と前記原水出水口とを連通する通水路とを有する扁平状となる。なお、基部の原水入水口は、後述する実施の形態のように、アダプタ装着部１３及び取付アダプタ２４の内部流路（正確には、当該内部流路における原水の流動方向における下流側端）により構成することができる。また、基部の原水出水口は、後述する実施の形態のように、基部の内部に配設される弁座収容筒１７の下流側端部により構成することが好ましい。更に、基部の通水路は、後述する実施の形態のように、基部の内部に配設される左右通水路２９と前後通水路２８とにより構成することが好ましい。また、前記吐水部は、前記基部に隣接して配設され、内部に通水空間４３を有すると共に下面に吐水口４６，４７を有する扁平状となる。また、前記弁座は、前記基部の通水路の下流側に配設される。なお、弁座は、後述する実施の形態のように、基部の左右通水路２９の内部に挿入して装着される原水導水筒５７の先端部に一体形成された弁座５８とすることが好ましいが、基部の内部の左右通水路の下流側端部に弁座を一体形成し、弁座を有しない原水導水筒を当該左右通水路に挿入する構成とすることもできる。また、弁切換部材は、前記基部の通水路の上流側に配設される弁体を有し、前記弁体を前記弁座に対して着座及び離間自在とする。更に、前記基部の通水路は、第１の通水路及び第２の通水路を有する。第１の通水路は、前記原水入水口の直下位置で当該原水入水口と直接的に連通する基端部を有し、前記基部の略平面方向における第１の方向に前記原水出水口まで延びる。第２の通水路は、前記第１の通水路の基端部よりも上流側となる位置で前記第１の通水路の基端部と連通すると共に、前記基部の略平面方向において前記第１の方向と交差する第２の方向に前記吐水部の通水空間まで延びて前記吐水部の通水空間と連通する。なお、基部の通水路は、好ましくは、後述する実施の形態のように、通水路となる弁座収容筒１７の周壁の厚み分及び／又は（原水入水口の底壁となる）隔壁２５の厚み分のみからなる上下方向寸法の原水入水孔２７のみを介して、原水入水口と連通するよう構成することが好ましい。また、第１の通水路の基端部とは、原水入水孔の下端開口面積と対向する部分である。なお、基部の「略平面方向」とは、本出願書類においては、基部の平面に沿った完全な平面方向以外に、当該平面方向に対して所定角度で上方又は下方に傾斜して延びる面に沿った方向も含む意味で使用する。また、第１の通水路の「第１の方向」とは、後述する実施の形態のように、左右方向とすることが好ましいが、第１の通水路を原水出水口に連通させる限りにおいて、当該左右方向と所定の角度で前後方向に傾斜する方向としてもよい。同様に、第２の通水路の「第２の方向」とは、後述する実施の形態のように前後方向とすることが好ましいが、第２の通水路を吐水部の通水空間に連通させる限りにおいて、かつ、第１の方向と交差する限りにおいて、前記前後方向と所定角度で左右方向に傾斜する方向としてもよい。一方、前記吐水部は、前記基部の略平面方向における第２の方向に隣接して配設されて、前記通水空間を前記基部の略平面方向における第２の方向に配置している。また、前記弁座は、前記第１の通水路の下流側端部に配設されている。更に、前記弁切換部材は、前記弁体を前記第１の通水路の基端部よりも下流側で前記弁座に着座させて、（前記基部の原水入水口が第１の通水路の基端部を介して原水出水口に連通することを遮断すると共に）前記基部の原水入水口を第１の通水路の基端部を介して前記第２の通水路に連通させる原水吐出モードと、前記弁体を前記第１の通水路の基端部よりも上流側に位置させて、（前記基部の原水入水口が第１の通水路の基端部を介して第２の通水路に連通することを遮断すると共に）前記基部の原水入水口を第１の通水路の基端部を介して前記原水出水口に連通させる浄水吐出モードとの間で切換自在である。
【発明の効果】
【０００９】
本発明に係る扁平状切換コックによれば、水栓の吐水口に装着される扁平状切換コックにおいて、水栓の吐水口への取付部分から扁平状切換コック自体の吐水面までとなる（従来の切換コックの本体の軸長に相当する）扁平状切換コック全体の高さ寸法を、扁平状切換コックの吐水部の厚み寸法と同等の寸法まで縮小することができ、水栓の吐水口からシンクの底面までの距離が（一般的な場合に比較して）相対的に小さくなるような水栓に取り付けた場合でも、食器洗い等の作業をする場合の使用者の作業空間を十分に確保することができ、洗い物等をする場合に使用者に窮屈な作業を強いることのないようにすることが可能で、かつ、この場合でも、十分な通水量を確保することができる。
【図面の簡単な説明】
【００１０】
【図１】図１は本発明の実施の形態１に係る扁平状切換コック（シングルタイプの扁平状切換コック）を正面左側から見た状態を示し、（ａ）は扁平状切換コックを左上側から見て示す斜視図、（ｂ）は扁平状切換コックを左下側から見て示す斜視図である。
【図２】図２は本発明の実施の形態１に係る扁平状切換コックを正面右側から見た状態を示し、（ａ）は扁平状切換コックを右上側から見て示す斜視図、（ｂ）は扁平状切換コックを右下側から見て示す斜視図である。
【図３】図３は本発明の実施の形態１に係る扁平状切換コックを正面側から見た状態を示し、（ａ）は扁平状切換コックの組立状態（完成状態）を示す正面図、（ｂ）は扁平状切換コックの原水側ユニットから浄水側ユニットを取り外すと共に背面板を取り外した状態（分解状態）を示す正面図である。
【図４】図４は本発明の実施の形態１に係る扁平状切換コックを正面側から見た状態を示し、扁平状切換コックの原水側ユニットから浄水側ユニットを取り外すと共に背面板を取り外し、更に、浄水側ユニットの浄水側本体から側面キャップを取り外した状態（分解状態）を示す正面図である。
【図５】図５は本発明の実施の形態１に係る扁平状切換コックを背面側から見た状態を示し、（ａ）は扁平状切換コックの組立状態（完成状態）を示す背面図、（ｂ）は扁平状切換コックの原水側ユニットから浄水側ユニットを取り外すと共に背面板を取り外した状態（分解状態）を示す背面図である。
【図６】図６は本発明の実施の形態１に係る扁平状切換コックを背面側から見た状態を示し、扁平状切換コックの原水側ユニットから浄水側ユニットを取り外すと共に背面板を取り外し、更に、浄水側ユニットの浄水側本体から側面キャップを取り外すと共に背面板から締結キャップを取り外した状態（分解状態）を示す背面図である。
【図７】図７は本発明の実施の形態１に係る扁平状切換コックの組立状態（完成状態）を示す右側面図である。
【図８】図８は本発明の実施の形態１に係る扁平状切換コックを右側から見た状態を示し、扁平状切換コックの原水側ユニットから浄水側ユニットを取り外すと共に背面板を取り外し、更に、浄水側ユニットの浄水側本体から側面キャップを取り外した状態（分解状態）を示す右側面図である。
【図９】図９は本発明の実施の形態１に係る扁平状切換コックを左側から見た状態を示し、（ａ）は扁平状切換コックの組立状態（完成状態）を示す左側面図、（ｂ）は扁平状切換コックの原水側ユニットから浄水側ユニットを取り外した状態（分解状態）を示す左側面図である。
【図１０】図１０は本発明の実施の形態１に係る扁平状切換コックを左側から見た状態を示し、扁平状切換コックの原水側ユニットから浄水側ユニットを取り外すと共に背面板を取り外し、更に、浄水側ユニットの浄水側本体から側面キャップを取り外した状態（分解状態）を示す左側面図である。
【図１１】図１１は本発明の実施の形態１に係る扁平状切換コックの組立状態（完成状態）を示す平面図である。
【図１２】図１２は本発明の実施の形態１に係る扁平状切換コックを上側から見た状態を示し、扁平状切換コックの原水側ユニットから浄水側ユニットを取り外すと共に背面板を取り外した状態（分解状態）を示す平面図である。
【図１３】図１３は本発明の実施の形態１に係る扁平状切換コックを上側から見た状態を示し、扁平状切換コックの原水側ユニットから浄水側ユニットを取り外すと共に背面板を取り外し、更に、浄水側ユニットの浄水側本体から側面キャップを取り外した状態（分解状態）を示す平面図である。
【図１４】図１４は本発明の実施の形態１に係る扁平状切換コックの組立状態（完成状態）を示す底面図である。
【図１５】図１５は本発明の実施の形態１に係る扁平状切換コックを下側から見た状態を示し、扁平状切換コックの原水側ユニットから浄水側ユニットを取り外すと共に背面板を取り外した状態（分解状態）を示す底面図である。
【図１６】図１６は本発明の実施の形態１に係る扁平状切換コックを下側から見た状態を示し、扁平状切換コックの原水側ユニットから浄水側ユニットを取り外すと共に背面板を取り外し、更に、浄水側ユニットの浄水側本体から側面キャップを取り外した状態（分解状態）を示す底面図である。
【図１７】図１７は図１１のＡ−Ａ線断面図である。
【図１８】図１８は図７のＢ−Ｂ線断面図であり、一部（切換弁の弁体及び弁座）を拡大して示すと共に、その拡大した部分における切換弁が弁切換動作した状態（弁体が移動した状態）を示す。
【図１９】図１９は図１１のＣ−Ｃ線断面図である。
【図２０】図２０は図３のＤ−Ｄ線断面図である。
【図２１】図２１は本発明の実施の形態１に係る扁平状切換コックの内部流路を構成する浄水流路を示す断面図（図１７及び図１９の断面図の面と平行な面に沿った断面図）である。
【図２２】図２２は本発明の実施の形態１に係る扁平状切換コックの弁切換動作による原水・浄水切換状態を示す正面視での断面図（図１８に相当する断面図）であり、（ａ）は原水通水状態における弁位置（原水吐水用弁位置）を示し、（ｂ）は浄水通水状態における弁位置（浄水吐水用弁位置）を示す。
【図２３】図２３は本発明の実施の形態１に係る扁平状切換コックの弁切換動作による原水・浄水切換状態を示す平面視での断面図（図２０に相当する断面図）であり、（ａ）は原水通水状態における弁位置（原水吐水用弁位置）を示し、（ｂ）は浄水通水状態における弁位置（浄水吐水用弁位置）を示す。
【図２４】図２４は本発明の実施の形態２に係る扁平状切換コック（ダブルタイプの扁平状切換コック）を正面左側から見た状態を示し、（ａ）は扁平状切換コックを左上側から見て示す斜視図、（ｂ）は扁平状切換コックを左下側から見て示す斜視図である。
【図２５】図２５は本発明の実施の形態２に係る扁平状切換コックを正面右側から見た状態を示し、（ａ）は扁平状切換コックを右上側から見て示す斜視図、（ｂ）は扁平状切換コックを右下側から見て示す斜視図である。
【図２６】図２６は本発明の実施の形態２に係る扁平状切換コックの組立状態（完成状態）を示す正面図である。
【図２７】図２７は本発明の実施の形態２に係る扁平状切換コックを正面側から見た状態を示し、扁平状切換コックの原水側ユニットから浄水側ユニットを取り外すと共に背面板を取り外し、更に、浄水側ユニットの浄水側本体から側面キャップを取り外した状態（分解状態）を示す正面図である。
【図２８】図２８は本発明の実施の形態２に係る扁平状切換コックの組立状態（完成状態）を示す背面図である。
【図２９】図２９は本発明の実施の形態２に係る扁平状切換コックの組立状態（完成状態）を示す右側面図である。
【図３０】図３０は本発明の実施の形態２に係る扁平状切換コックの組立状態（完成状態）を示す左側面図である。
【図３１】図３１は本発明の実施の形態２に係る扁平状切換コックの組立状態（完成状態）を示す平面図である。
【図３２】図３２は本発明の実施の形態２に係る扁平状切換コックの組立状態（完成状態）を示す底面図である。
【図３３】図３３は図３１のＥ−Ｅ線断面図である。
【図３４】図３４は図３１のＦ−Ｆ線断面図である。
【図３５】図３５は図２６のＧ−Ｇ断面図である。
【図３６】図３６は本発明の実施の形態２に係る扁平状切換コックの浄水の入水位置及び入水方向並びに出水位置及び出水方向を示す平面図である。
【図３７】図３７は本発明の実施の形態３に係る扁平状切換コック（浄水別口ダブルタイプの扁平状切換コック）を正面左側から見た状態を示し、（ａ）は扁平状切換コックを左上側から見て示す斜視図、（ｂ）は扁平状切換コックを左下側から見て示す斜視図である。
【図３８】図３８は本発明の実施の形態３に係る扁平状切換コックを正面右側から見た状態を示し、（ａ）は扁平状切換コックを右上側から見て示す斜視図、（ｂ）は扁平状切換コックを右下側から見て示す斜視図である。
【図３９】図３９は本発明の実施の形態３に係る扁平状切換コックを正面側から見た状態を示し、（ａ）は扁平状切換コックの組立状態（完成状態）を示す正面図、（ｂ）は扁平状切換コックの原水側ユニットから浄水側ユニットを取り外すと共に背面板を取り外した状態（分解状態）を示す正面図である。
【図４０】図４０は本発明の実施の形態３に係る扁平状切換コックの組立状態（完成状態）を示す背面図である。
【図４１】図４１は本発明の実施の形態３に係る扁平状切換コックの組立状態（完成状態）を示す右側面図である。
【図４２】図４２は本発明の実施の形態３に係る扁平状切換コックの組立状態（完成状態）を示す左側面図である。
【図４３】図４３は本発明の実施の形態３に係る扁平状切換コックの組立状態（完成状態）を示す平面図である。
【図４４】図４４は本発明の実施の形態３に係る扁平状切換コックの組立状態（完成状態）を示す底面図である。
【図４５】図４５は図４１のＨ−Ｈ線断面図である。
【図４６】図４６は図３９のＩ−Ｉ線断面図である。
【図４７】図４７は本発明の実施の形態３に係る扁平状切換コックの浄水の入水位置及び入水方向並びに出水位置及び出水方向を示す平面図である。
【図４８】図４８は本発明の実施の形態４に係る扁平状切換コック（浄水別口ダブルタイプの扁平状切換コックの別例）を正面側から見た状態を示し、扁平状切換コックの原水側ユニットから浄水側ユニットを取り外すと共に背面板を取り外し、更に、浄水側ユニットの浄水側本体を浄水出水部と浄水入水部とに分解した状態（分解状態）を示す正面図である。
【図４９】図４９は本発明の実施の形態４に係る扁平状切換コックを背面側から見た状態を示し、扁平状切換コックの原水側ユニットから浄水側ユニットを取り外すと共に背面板を取り外し、更に、浄水側ユニットの浄水側本体を浄水出水部と浄水入水部とに分解すると共に背面板から締結キャップを取り外した状態（分解状態）を示す背面図である。
【図５０】図５０は本発明の実施の形態４に係る扁平状切換コックを右側から見た状態を示し、扁平状切換コックの原水側ユニットから浄水側ユニットを取り外すと共に背面板を取り外し、更に、浄水側ユニットの浄水側本体を浄水出水部と浄水入水部とに分解した状態（分解状態）を示す右側面図である。
【図５１】図５１は本発明の実施の形態４に係る扁平状切換コックを左側から見た状態を示し、扁平状切換コックの原水側ユニットから浄水側ユニットを取り外すと共に背面板を取り外し、更に、浄水側ユニットの浄水側本体を浄水出水部と浄水入水部とに分解した状態（分解状態）を示す左側面図である。
【図５２】図５２は本発明の実施の形態４に係る扁平状切換コックを上側から見た状態を示し、扁平状切換コックの原水側ユニットから浄水側ユニットを取り外すと共に背面板を取り外し、更に、浄水側ユニットの浄水側本体を浄水出水部と浄水入水部とに分解した状態（分解状態）を示す平面図である。
【図５３】図５３は本発明の実施の形態４に係る扁平状切換コックを下側から見た状態を示し、（ａ）は扁平状切換コックの組立状態（完成状態）を示す底面図、（ｂ）は扁平状切換コックの原水側ユニットから浄水側ユニットを取り外すと共に背面板を取り外し、更に、浄水側ユニットの浄水側本体を浄水出水部と浄水入水部とに分解した状態（分解状態）を示す底面図である。
【発明を実施するための形態】
【００１１】
以下、本発明を実施するための形態（以下、「実施の形態」という）を説明する。なお、各実施の形態を通じ、同一の部材、要素または部分には同一の符号を付して、その説明を省略する。
【００１２】
［実施の形態１］
本発明の実施の形態１に係る扁平状切換コックについて、図１〜図２３を参照して説明する。まず、実施の形態１の扁平状切換コックは、水栓の吐水口からの原水を、原水吐水モードでは原水吐水口から吐出する共に、浄水吐水モードでは外部の浄水器に供給するのみの（即ち、外部の浄水器からの浄水を還流することはない）いわゆるシングルタイプの扁平状切換コックに具現化される。詳細には、実施の形態１の扁平状切換コックは、図１及び図２に示すように、原水側ユニットＲＵ及び浄水側ユニットＰＵ１を一体化すると共に、それらの背面を背面板８０により覆う構成である。また、扁平状切換コックは、原水側ユニットＲＵに弁切換部材１００を設け、弁切換部材１００により原水吐水モードと浄水吐水モードとの間で弁切換動作を行うように構成されている。より詳細には、扁平状切換コックにおいては、原水側ユニットＲＵの右側面側（図３の右側）に浄水側ユニットＰＵ１が配設されると共に、原水側ユニットＲＵの左側面側（図３の左側）に弁切換部材１００が配設されている。また、扁平状切換コックは、図３〜図８に示すように、原水側ユニットＲＵ及び浄水側ユニットＰＵ１の背面から背面板８０を取り外した状態で、原水側ユニットＲＵから浄水側ユニットＰＵ１を容易に取り外して分解できるよう構成されている。即ち、後述するように、浄水側ユニットＰＵ１は、原水側ユニットＲＵとは別体として構成され、（最終的には原水側ユニットＲＵに対して螺子等の固定手段により固定されるものの、螺子等の固定手段を取り外した状態では）原水側ユニットＲＵに対して嵌合による着脱自在となっている。なお、弁切換部材１００は、原水側ユニットＲＵに一体的に配設されて固着されている。
【００１３】
［原水側ユニット］
原水側ユニットＲＵは、左右方向に延びる扁平ボックス状の基部１０と、基部の前側で前方に延びる鍔状又は庇状の吐水部４０とを備えている。詳細には、図５に示すように、基部１０は、底壁１１と上壁１２とを高さ方向に所定の間隔を置いて互い平行となるよう配置している。上壁１２の中央には、アダプタ装着部１３が、所定距離だけ上方に突出するよう一体形成されている。アダプタ装着部１３は、後述する取付アダプタ２４の取付に必要な最低限の高さ寸法（即ち、その雄螺子部分の軸長に相当する高さ寸法）であって、数ｍｍ単位（例えば、約５ｍｍ〜７ｍｍの範囲内）の相対的に小さな高さ寸法だけ、上壁１２から上方に突出している。図６〜図９に示すように、アダプタ装着部１３は、前半部を半円形状とすると共に後半部を（前半部の直径と同一幅の）長方形状とした平面略半楕円形状を有し、かつ、下端から上端に向かって縮径するように傾斜して上壁１２から上方に突出している。
【００１４】
＜基部＞
より詳細には、図５、図６及び図８に示すように、基部１０は、その右端を閉塞して平板状の右側壁１４としている。一方、図５（ｂ）、図６及び図１０に示すように、基部１０は、その左端において底壁１１と上壁１２との間を開放して左開口１５を形成している。基部１０の右側壁１４及び左開口１５は、基部１０の側面形状に対応する外形状を有している（即ち、その前端部が湾曲状部分とされ、残りの部分が同一幅（同一高さ）の長方形状部分とされた扁平形状を有している）。そして、基部１０は、前記上壁１２とアダプタ装着部１３の下端位置とが合致する位置から左開口１５までの範囲の略長方形筒状部分により、前記浄水側ユニットＰＵ１を嵌合して原水側ユニットＲＵに一体的に装着する浄水側ユニット接続口１６を構成している。即ち、基部１０は、当該浄水側ユニット接続口１６長さ（図５中の左右方向寸法）を、後述する浄水側ユニットＰＵ１の内嵌合部５６の突出寸法と同一長さに設定すると共に、当該浄水側ユニット接続口１６の内周面寸法及び内周面形状を、浄水側ユニットＰＵ１の内嵌合部５６の外周面寸法及び外周面形状と同一形状に設定し、浄水側ユニット接続口１６に内嵌合部５６を密嵌自在としている。
【００１５】
＜弁座収容筒＞
基部１０の底壁１１、上壁１２及び右側壁１４により包囲される内部空間の中央より左側（図５（ｂ）中の右側）には、その左右方向に延びるよう、弁座収容筒１７が配設されている。弁座収容筒１７は、その先端（図５（ｂ）中の右端）が前記浄水側ユニット接続口１６の内端（図５（ｂ）中の左端）とほぼ一致する位置まで延びる一方、その基端が基部１０の左右方向略中央位置まで延びる所定直径の円筒状をなしている。弁座収容筒１７の内径は、後述する弁切換部材１００の弁体１０３〜１０６の最大径及び浄水側ユニットＰＵ１の原水導水筒５７及び弁座５８の最大径と同一径である。また、弁座収容筒１７の壁厚（内外径差）は、弁体１０３〜１０６及び弁座５８を内部に収容して弁体１０３〜１０６の安定的な摺動動作を可能にする限りにおいて、最低限必要となる壁厚とすることができる。更に、弁座収容筒１７の直径は、基部１０の底壁１１及び上壁１２間の上下間隔より若干小さい寸法に設定され、弁座収容筒１７と底壁１１及び上壁１２との間に、それぞれ、若干の隙間（例えば、約１ｍｍ程度の隙間）が形成されるよう、弁座収容筒１７が基部１０内に配設されている。即ち、弁座収容筒１７の直径は、底壁１１と上壁との間の間隔よりも当該隙間分の寸法だけ（例えば、合計２ｍｍ程度の小さい寸法だけ）小さくなる寸法に設定されている。換言すれば、扁平状となる基部１０の高さ寸法（厚み寸法）は、後述する弁座５８及び弁体１０３〜１０６の収容部分となる弁座収容筒１７の高さ方向寸法である直径にほぼ相当する寸法に設定され、より具体的には、当該直径より前記隙間分に相当する数ｍｍ程度の寸法だけ大きな最小限の寸法に設定されている。即ち、基部１０の高さ寸法は、弁体１０３〜１０６及び弁座５８の最大径より、弁座収容筒１７の壁厚分と底壁１１及び上壁との間の各隙間分とを合算した寸法だけ大きくなる最小限の寸法に設定されている。また、弁座収容筒１７の上縁は、前記アダプタ装着部１３の下端位置と一致している。即ち、本実施の形態の扁平状切換コックの最大高さ寸法（最大厚み寸法）となるアダプタ装着部１３の上端から底壁１１の下面までの寸法は、実質的には、（弁座５８及び弁体１０３〜１０６の収容部分である）弁座収容筒１７の高さ方向寸法である直径（外径）と、（水栓への取付部分である）アダプタ装着部１３の高さ方向寸法である軸長とを合計した最小寸法に限定されており、従来の切換コックと比較すると非常に小さい寸法に設定されている。なお、図１８及び図２０に示すように、基部１０の内部において、弁座収容筒１７の下端側は、リブ状の部分により底壁１１に一体的に接合されている。
【００１６】
＜連絡筒＞
基部１０の内部空間の中央より右側（図５（ｂ）中の左側）には、更に、その左右方向に延びるよう、前記弁座収容筒１７に連続して連絡部１８が一体形成されている。連絡部１８は、図示の例では、弁座収容筒１７よりも若干小径の円筒状に形成され、弁座収容筒１７の基端となる右端（図５（ｂ）中の左端）から同軸状となるよう所定軸長だけ延設されている。連絡部１８の右端は、前記右側壁１４より所定距離だけ手前に配置されている。また、連絡部１８を構成する周壁の上側の略半部には、通水開口１９が形成されている。通水開口１９は、連絡部１８の略軸心位置より上側の半円筒状部分を、左右方向に一定幅となるよう周方向に所定角度だけ（図示の例では約１８０度だけ）切り欠いて形成されたものである。基部１０の内部空間には、更に、その左右方向に延びるよう、前記連絡部１８に連続して栓棒収容筒２０が一体形成されている。栓棒収容筒２０は、図示の例では、連絡部１８よりも若干小径の円筒状に形成され、連絡部１８の基端となる右端（図５（ｂ）中の左端）から同軸状となるよう所定軸長だけ延設されている。栓棒収容筒２０は、前記右側壁１４まで延設され、その先端となる右端が右側壁１４に一体的に接合されると共に、その先端（右端）の円形の開口が、右側壁１４を貫通して外部に円形に開口し、後述する栓棒１０１を当該開口から栓棒収容筒２０の内部に挿入自在となっている。ここで、前記弁座収容筒１７、連絡部１８及び栓棒収容筒２０は、基部１０の底壁１１、上壁１２及び右側壁１４により包囲される内部空間を右側壁１４から浄水側ユニット接続口の基端まで（基部１０の左右方向に）延びる一体の円筒状体又は（それらの間の直径の差異による）段付き円筒状体として把握することができる。また、これら底壁１１、上壁１２及び右側壁１４は、図１０に示すように、基部１０の前後方向略中央付近に配置されている。なお、（原水側ユニットＲＵから浄水側ユニットＰＵ１を取り外した状態で）弁座収容筒１７の先端は、円形の開口となって、前記基部１０の左開口１５から露出している。
【００１７】
＜浄水入水筒＞
図５（ｂ）及び図１０に示すように、基部１０の内部空間には、その前後方向に延びるよう、かつ、前記連絡部１８に直交するよう、浄水入水筒２１が一体形成されている。浄水入水筒２１は、図示の例では、前記弁座収容筒１７よりも若干大径の円筒状に形成され、連絡部１８を跨ぐようにして、基部１０の内部空間を前後方向に所定軸長だけ延びている。詳細には、浄水入水筒２１は、その後端が基部１０の背面（後面）の開口より若干（数ｍｍ程度）内側に入った位置で円形に開口しており、かつ、その前端は、連絡部１８より前側の位置まで延設されて、その前端の開口が後述する吐水部４０の吐水口４３の内部空間に連通している。また、浄水入水筒２１は、その上側の周壁部分が連絡部１８の通水開口１９の全体を覆い、かつ、跨ぐようにして配設されており、浄水入水筒２１の後端の開口が、浄水入水筒２１の内部流路及び前端の開口を介して吐水部４０の内部空間である通水空間４３に連通するようになっている。この浄水入水筒２１は、外部の浄水器から還流する浄水を入水させるための部材であるが、本実施の形態の扁平状切換コックは、シングルタイプであって、浄水吐水モードでは、原水を外部の浄水器に供給するのみであり、外部の浄水器からの浄水を還流することはないため、前記浄水入水筒２１を浄水の還流に使用することはない構造となっている（後述するように、背面板８０の前面に一体形成した浄水入水口閉塞凸部８４により浄水入水筒２１の先端開口を閉塞している）。即ち、浄水入水筒２１は、後述する実施の形態２及び実施の形態３の扁平状切換コックであって、水栓の吐水口からの原水を、原水吐水モードでは原水吐水口から吐出する共に、浄水吐水モードでは外部の浄水器に供給した後に外部の浄水器からの浄水を還流する、いわゆるダブルタイプの扁平状切換コックで使用される部材であるが、本発明に係る扁平状切換コックでは、原水側ユニットＲＵの構造をシングルタイプとダブルタイプとで同一とすることで、これに追加する浄水側ユニット（ＰＵ１等）のみ変更することにより、シングルタイプの扁平状切換コック及びダブルタイプの扁平状切換コック（通常のダブルタイプのほか、浄水別口ダブルタイプも含む）を完成することができ、構造共通化によるコスト低減等の効果を発揮できるようにしている。
【００１８】
＜アダプタ装着部＞
基部１０の内部空間においては、上記のとおり、前記アダプタ装着部１３の下端部が上壁１２の下面よりも若干下方の位置まで延設され、その下端が弁座収容筒１７の上縁と接合している。即ち、アダプタ装着部１３の下端部の周壁２２が、基部１０の内部空間に配置されて、その下端位置が弁座収容筒１７の上縁位置に配置されている。基部１０の内部空間の上端部において、アダプタ装着部１３の周壁２２の左右位置には、それぞれ、小径円筒状の螺子受２３が、後方（即ち、基部１０の後面の開口）に向かって延びるよう一体形成されている。また、基部１０の内部空間の下端部において、浄水入水筒２０の下縁より左右に若干離れた位置にも、それぞれ、同様の螺子受２３が、後方に向かって延びるよう一体形成されている。なお、各螺子受２３の先端位置（後端位置）は、図１０に示すように、同一位置となっており、各螺子受２３の先端が、基部１０の前後方向において浄水入水筒２０の後端位置と同一位置で円形に開口している。また、図１０に示すように、基部１０の内部空間において、吐水部４０との境界部分の位置には、同様の螺子受２３が、下方に向かって延びるよう一体形成されている。この螺子受２３は、吐水部４０の上壁４１の位置から傾斜周壁４２の下端の位置まで延び、その先端（下端）が円形に開口している。
【００１９】
＜取付アダプタ＞
図１７〜図１９に示すように、アダプタ装着部１３の内周面には雌螺子が螺刻形成されており、アダプタ装着部１３の雌螺子に取付アダプタ２４の雄螺子部分が螺入自在となっている。アダプタ装着部１３には、取付アダプタ２４が（その雄螺子部をアダプタ装着部２４の内周面に螺刻形成した雌螺子部に）螺入することにより装着されるようになっている。また、取付アダプタ２４は、アダプタ装着部１３から螺退して取り外し自在である。そして、アダプタ装着部１３及び取付アダプタ２４を介して、本実施の形態の扁平状切換コックを各種水栓の吐水口に着脱自在となっている。また、図１１〜図１３に示すように、アダプタ装着部１３の下端は、隔壁２５により閉塞されると共に、アダプタ装着部１３の内部底面を構成する隔壁２５の上面には、円盤リング状のパッキン２６がシール材として載置して配設されている。隔壁２５の中央部及び中央部から左側（前記弁座収容筒１７側）に偏った部位には、パッキン２６の中央の円形開口と連通する原水入水孔２７が貫通形成されている。具体的には、基部１０の原水入水孔２７は、図１１〜図１３及び図１８に示すように、隔壁２５においてパッキン２６の中央の円形開口と整合する位置に形成された円形開口状の連通孔２７ａと、隔壁２５の下側に配置される前記弁座収容筒１７の基端部（右端部であって、連絡部１８側の端部）に貫通形成される矩形貫通孔状の通水孔２０ｂとからなり、連通孔２７ａの一部（弁座収容筒１７の基端部と重なる部分）で連通孔２７ａと通水孔２７ｂとを連通し、当該通水孔２７ｂ部分で原水入水口としての取付アダプタ２４の内部流路と弁座収容筒１７の内部流路の基端部（即ち、後述する左右通水路２９の基端部）とを連通するようになっている。
【００２０】
＜ハンドル取付部＞
図１８及び図２０に示すように、基部１０の右側壁１４の外側面（図１８及び図２０中の左側面）には、雄螺子棒状のハンドル取付部３０が左方へと突出するよう一体形成されている。ハンドル取付部３０は、基部１０の高さ寸法よりも小さな外径（雄螺子部分の頂点位置での直径）を有している。なお、後述するように、ハンドル取付部３０には、開閉ハンドル９０が装着されるようになっている。
【００２１】
＜吐水部＞
図９〜図１６に示すように、吐水部４０は、前記基部１０の上壁１２と面一となる半円盤状の上壁４１と、上壁４１の前端側に一体形成された周壁４２とを有している。図１７に示すように、周壁４２は、その上側の外周面が上壁４１の前端側の半円状の周縁から下方に傾斜して延びる傾斜面となり、その前端部の下面が平坦な水平面となっているが、その内周面は断面円形状となっている。そして、周壁４２の内周面に包囲される空間が、前記基部１０の前後通水路２８と連通する通水空間４３となっている。即ち、基部１０の前後通水路２８の先端は、周壁４２の対応する位置で開口し、通水空間４３と連通している。また、周壁４２の内周面には、通水空間内の通水経路を制御する切換部材４４が嵌合して固定されている。切換部材４４には、有底短円筒状の吐水盤４５が着脱自在に装着されている。即ち、吐水盤４５は、上端を円形に開口すると共に下端を円盤状の底壁により閉塞しており、その周壁の内周面に形成した雌螺子を切換部材４４の外周面に形成した雄螺子螺合することで取り付けられている。吐水盤４５の底壁は、その中央部分が円形のストレート吐水口４６とされ、その外周側部分がシャワー吐水口４７とされている。また、周壁４２の下面と切換部材４４に装着した吐水盤４５の上端との間には、切換部材４４及び吐水盤４５の全周にわたって若干の隙間が設けられ、その隙間を介して、切換ハンドル４８が切換部材４４の外周面に固定されている。そして、切換ハンドル４８により切換部材４４を正逆方向に所定角度範囲内で回転することで、前記通水空間４３をストレート吐水モードとシャワー吐水モードとの間で切り換え、吐水盤４５のストレート吐水口４６又はシャワー吐水口４７のいずれかから原水又は浄水を吐水自在となっている。一方、図８に示すように、周壁４２の下端は、基部１０の高さ方向略中央位置に配置されている。また、図１０に示すように、周壁４２の基端部の左側には、前方に向かう断面くちばし状の中空の延長部４９が一体形成されている。そして、上記した（基部１０の内部空間において吐水部４０との境界部分の位置に一体形成された）螺子受２３が、延長部４９において吐水部４０の上壁４１の位置から周壁４２の下端の位置まで上下方向に延びている。
【００２２】
ここで、図５〜図１０に示すように、吐水部４０の上壁４１は基部１０の上壁１２と同一高さ位置に配置されると共に、吐水部４０のストレート吐水口４６及びシャワー吐水口４７からなる吐水口は、基部１０の底壁１１と同一高さ位置に配置されている。即ち、基部１０と同様に扁平状となる吐水部４０は、その高さ寸法（厚み寸法）が、基部１０と同様、弁座５８及び弁体１０３〜１０６の収容部分となる弁座収容筒１７の高さ方向寸法である直径にほぼ相当する寸法に設定され、かつ、その配置態様は、基部１０の前方において基部１０と完全に重なるよう（即ち、吐水部４０が基部１０の前方に位置して基部１０を前方から完全に遮蔽し、吐水部４０の上下両端のいずれの部位も基部１０の上下両端から上下方向に突出しないよう）な配置態様とされている。したがって、本実施の形態の扁平状切換コックは、水栓への装着状態において吐水口から下方に配置される部分の全体の高さ寸法が、上記のとおり、扁平状となる基部１０の高さ寸法を従来の切換コックと比較すると非常に小さい寸法に設定されている。
【００２３】
また、ここで、前記アダプタ装着部１３に取付アダプタ２４を完全に螺入して最終的な取付位置とすると、取付アダプタ２４の雄螺子部の下端がパッキン２６の上面に密接して、アダプタ装着部１３と取付アダプタ２４との間の水密が維持されるようになっている。なお、前記アダプタ装着部１３及び取付アダプタ２４は、その装着状態で、本実施の形態の扁平状切換コックの原水入水口を構成している。即ち、このとき、図１８に示すように、取付アダプタ２４の内周面により形成される空間が原水入水口となり、この原水入水口が、パッキン２６の中央の円形開口を介して、隔壁２５及び弁座収容筒１７の基端部を貫通する原水入水孔２７と連通する。また、図２１に示すように、基部１０の内部には、前記浄水入水筒２１の先端開口位置から前記吐水部４０の周壁４２を貫通して通水空間４３に連通する前後通水路２８が設けられている。なお、基部１０の前後通水路２８は、周壁４２の内部に形成される通水空間４３の後端付近の位置まで延びている。また、基部１０の前後通水路２８は、基部１０の内部において前記連絡部１８の略上半部に対応する部分を前後方向に直線的に延びており、かつ、吐水部４０から吐水する原水の流量を確保するために必要な断面積の流路となっている。更に、図１８及び図２０に示すように、基部１０の内部には、弁座収容筒１７の基端位置から先端側に延びる左右通水路２９が設けられる。具体的には、この左右通水路２９は、弁座収容筒１７に後述する原水出水部５０の原水導水筒５７を挿着した状態で、弁座収容筒１７の基端位置から原水導水筒５７の基端位置まで延び、原水出水筒６０の内部流路と連通するようになっている。また、左右通水路２９は、その基端位置（弁座収容筒１７の基端位置）で、前記前後通水路２８の途中位置（前後方向の略中央位置）と連通している。即ち、基部１０内部において、左右通水路２９は、連絡部１８の断面の全体に対応する部分を左右方向に直線的に延びており、かつ、外部浄水器へ供給する原水の流量を確保するために必要な断面積の流路となっている。換言すれば、薄肉扁平状となる基部１０の内部において、通水路となる前後通水路２８及び左右通水路２９は、いずれも、基部１０の高さ方向において弁切換部材１０の厚みと同程度の範囲内に設けられている。
【００２４】
図１８に示すように、弁座収容筒１７内の左右通水路２９は、後述する弁体１０３〜１０６の弁切換位置に応じて、連絡部１８の内部流路との連通が遮断されることにより、連絡部１８の内部流路を介した前後通水路２８との連通が遮断される（原水吐水モードにおける）遮水状態と、連絡部１８の内部流路と連通すると共に、連絡部１８の内部流路を介して前後通水路２８とも連通する（浄水吐水モードにおける）通水状態との間で選択的に切り替え自在となっている。これにより、水栓の吐水口からの原水は、原水入水口としての取付アダプタ２４の内部流路からパッキン２６の円形開口から、原水入水孔２７を介して左右通水路２９の基端部に流入する（即ち、弁座収容部１７の基端部を貫通する通水孔２７ｂを介して左右通水路２９の基端部に流入する）。そして、扁平状切換コックは、原水入水孔２７からの原水が、後述する弁体１０３〜１０６の弁切換位置に応じて、左右通水路２９への流入を遮断されると共に、前後通水路２８への流入を許容される原水吐水モードと、左右通水路２９への流入を許容されると共に、前後通水路２８への流入を遮断される浄水吐水モードとの間で選択動作できるようになっている。なお、本実施の形態の扁平状切換コックでは通水に使用されることはないが、図１７に示すように、前記浄水入水筒２１の内部流路は、前記連絡部１８の通水開口１９を介して、原水側ユニットＲＵ内部を前方に延びる前後通水路２８に連通している。
【００２５】
［浄水側ユニット］
実施の形態１の浄水側ユニットＰＵ１は、前記原水側ユニットＲＵの基部１０に着脱自在に装着される原水出水部５０と、原水出水部５０の左側面に着脱自在に装着される側面キャップ７０とからなる。詳細には、まず、図５（ｂ）及び図６に示すように、原水出水部５０は、底壁５１と上壁５２とを高さ方向に所定の間隔（前記基部１０の上壁１２及び底壁１１の間隔と同一間隔）を置いて互い平行となるよう配置している。即ち、原水出水部５０の高さ寸法は基部１０の高さ寸法と同一であり、原水出水部５０を基部１０に装着したときに、原水出水部５０の上下両面が基部１０の上下両面と面一となるようになっている。また、図９及び図１０に示すように、原水出水部５０は、その前端を閉塞して湾曲板状の前壁５３としている。また、図１２及び図１３に示すように、原水出水部５０は、その右端における後端部の所定寸法部分だけを除いて底壁５１と上壁５２との間を閉塞して右側壁５４を形成している。一方、原水出水部５０は、その左端において底壁５１と上壁５２との間を開放して、キャップ装着口としての左開口５５を形成している。また、図５（ｂ）、図６及び図８に示すように、原水出水部５０は、その右端において前記右側壁５４の略後半部から右方に突出するよう内嵌合部５６を一体形成している。内嵌合部５６は、基部１０の左開口１５の内部の面（即ち、浄水側ユニット接続口１６の内部の面）に少なくとも一部の面が密接して嵌合自在な形状を有している。内嵌合部５６の後端位置は、右側壁５４の後端位置と一致している。
【００２６】
＜原水導水筒＞
内嵌合部５６の略中央位置からは、円筒状の原水導水筒５７が前記右側壁５４と直交するよう右方に突出して一体形成されている。原水導水筒５７は、その外径が基部１０の弁座収容筒１７の内径と同一となる円筒状に形成され、原水導水筒５７を弁座収容筒１７に摺動して挿入することで、原水導水筒５７の外周面を弁座収容筒１７の内周面に密接保持して、原水導水筒５７を介して浄水側ユニットＰＵ１を原水側ユニットＲＵに前後方向及び上下方向への移動不能として位置固定するようになっている。なお、このとき、原水出水部５０の右側壁５４の外周縁が基部１０の浄水側ユニット接続口１６の開口外周縁に当接すると共に、内嵌合部５６の少なくとも一部が浄水側ユニット接続口１６の内面の対応部分に当接し、浄水側ユニットＰＵ１の原水側ユニットＲＵに対する支持及び位置固定を補助するようになっている。また、原水導水筒５７の先端部は弁座５８となっている。弁座１８は、図１８の一点鎖線の円内に拡大して示すように、原水導水筒５７の先端部において、先端面から内周側の所定位置にわたって形成した段差面状又は段付き凹部状となっている。具体的には、弁座５８は、原水導水筒５７の先端部に、原水導水筒５７の先端部以外の部分の外径と内径との略中間位置の直径を有する円筒状の凹部を、原水導水筒５７の先端から奥側の所定位置まで延びるよう形成することで構成されるものである。そして、弁座５８は、前記凹部の先端位置で原水導水筒５７の先端面となる大径の円形リング状の平坦面からなる先端弁座面５８ａと、前記凹部の円筒状の内周面からなる内周弁座面５８ｂと、前記凹部の最奥位置で（即ち、原水導水筒５７の先端から奥側の前記所定位置で）内端面となる小径の円形リング状の平坦面からなる基端弁座面５８ｃとから構成されている。なお、原水収容筒５７の基端部の所定位置（基端から所定距離だけ離れた軸方向位置）の外周には、円形リング状の凹部溝が形成され、当該凹部溝内にＯリング５９が密嵌して装着されており、原水収容筒５７を弁座収容筒１７内に挿着したときに、Ｏリング５９が弁座収容筒１７の内周面に弾接して、原水収容筒５７と弁座収容筒との間の水密を維持するようになっている。
【００２７】
＜原水出水筒＞
原水出水部５０の右側壁５４と左開口５５との間の内部空間には、原水出水部５０の前端付近の位置から後端付近の位置まで延びるよう、原水出水筒６０が一体形成されている。原水出水筒６０は、図２０に示すように、右側壁５４に対して厚肉となる前壁５３の内側面（後側面）から後方に直交して突出する略円筒状をなし、前記原水導水筒５７の基端の円形開口が、原水出水筒６０の周壁の右側部分に連通して開口し、原水導水筒５７からの原水が原水出水筒６０に流入するようにしている。なお、正確には、図２０に示すように、原水出水筒６０は、その周壁の右側部分が前記右側壁５４と一体化しており、当該一体化部分で右側壁５４の一部を構成している（即ち、原水出水筒６０は、その周壁の右側部分が側壁状となる略円筒状となっている）。また、図５（ｂ）及び図６に示すように、原水出水筒６０の周壁の前端部の左側部分は、左方へ張り出し形成された平板状部分となっている。一方、原水出水部５０の後側において、内嵌合部５６の後側面（後ろ側の壁部分の後面）には、後方に直交して突出するよう、左右一対の螺子受６１が一体形成されている。なお、各螺子受６１の先端位置（後端位置）は、図８に示すように、同一位置となっており、各螺子受６１の先端（後端）が、原水出水部５０の前後方向において原水出水筒６０の後端位置と同一位置で円形に開口している。
【００２８】
＜螺子受＞
ここで、本実施の形態の扁平状切換コックにおける原水出水部５０の基部１０と反対側の側面）（前記左開口５５）を遮蔽する構成として、図５（ｂ）及び図６に示すように、原水出水筒６０の周壁の前端部で左方に張り出し形成された平板状部分の前側面には、図９及び図１０に示すように、前記左右一対の螺子受６１と同様の上下一対の螺子受６１が、前方に直交して突出するよう一体形成されている。更に、原水出水筒６０の周壁の左側（外周面の左側縁位置）には、同様の前後一対の螺子受６１が、上下方向に延びるよう一体形成されている。前記上下一対の螺子受６１の先端位置（前端位置）は、前記前後一対の螺子受６１のうちの後側の螺子受６１の後縁位置とほぼ一致している。なお、前記上下一対の螺子受６１は、その後端の円形の開口が、図６に示すように、原水出水筒６０の周壁の左方への張り出し形成部分で開口すると共に、その前端の円形の開口が、前記前後一対の螺子受６１のうちの後側の螺子受６１の後縁位置で開口している。また、前記前後一対の螺子受６１は、それぞれ、その上下両端が円形に開口している。一方、図９及び図１０並びに図１３及び図１４に示すように、前記底壁５１の左側縁には、前記前後一対の螺子受６１と対向する位置に、それぞれ、螺子受６１の外径とほぼ同一径となる半トラック状又は半楕円状の螺子用凹部６２が形成されている。なお、この螺子用凹部６２は、後述する側面キャップ７０を原水出水部５０に螺子止めするための雄螺子を挿通するためのものである。具体的には、螺子用凹部６２は、原水出水部５０に側面キャップ７０を嵌合した状態で、後述する側面キャップ７０の螺子受７３及び原水出水部５０の螺子受６１に下方から雄螺子を挿通して当該雄螺子の頭部を収容するための開口である。
【００２９】
＜圧力逃し弁＞
図１４〜図１６に示すように、浄水側ユニットＰＵ１の原水出水部５０の右端部の内部には圧力逃し弁６５が配設されると共に、浄水側ユニットＰＵ１の原水出水部５０の前端部から後端部にかけた内部には熱水逃し弁６６が配設されている。圧力逃し弁６５は、図１６、図１８及び図２２に示すように、下端となる排水口６５Ａが、原水出水部５０の底壁５１で露出するように設けられて外部に開口すると共に、その内部流路が底壁５１から上方に延設され、その内部流路の上端開口が原水出水部５０の原水導水筒５７に連通している（図２３中の原水導水筒５７の先端開口側に視認される円形部分が圧力逃し弁６５の内部流路の先端開口）。なお、圧力逃し弁６５の排水口６５Ａ（及び圧力逃し弁６５全体）の配設位置は、原水出水部５０の右端縁における所定の前後方向位置（上方に配設される原水導水筒５７と対向する位置）となっている。また、圧力逃し弁６５は、図１８に示すように、排水口６５Ａの内部流路に弁体６５Ｂを同軸状かつ軸方向への往復移動自在に配設すると共に、排水口６５Ａの内部流路において、当該内部流路の底面（排水口６５Ａ側の下面）と前記弁体６５Ｂの先端との間にコイルスプリング状の押圧バネ６５Ｃを同軸状に介装し、押圧バネ６５Ｃにより弁体６５Ｂを常には前記排水口６５Ａの内部流路の上端開口に向かって付勢するようにしている。そして、圧力逃し弁６５は、押圧バネ６５Ｃによる弁体６５Ｂの弁動作（原水の水圧に応じた開弁動作及び閉弁動作）により、常には閉弁状態にある一方で、原水出水部５０において原水圧が設定圧力以上の過剰圧力となったときに開弁動作して、過剰圧力の原水の一部を原水導水筒５７から外部に放出することで、原水出水部５０から基部１０にかけて内部の原水圧を低減して設定圧力以下の圧力に維持し、過剰圧力による扁平状切換コックの内部機構への影響を防止するようになっている。原水導水筒５７の内部の原水圧が設定圧力以下になると、圧力逃し弁６５は閉弁動作する。なお、圧力逃し弁６５の円形の排水口６５Ａに対応して、前記基部１０の底壁１１の左端縁において、原水出水部５０における圧力逃し弁６５の前後位置に一致する位置には、圧力逃し弁６５の排水口と同一径の半円状の嵌合凹部１１ａが形成されている。そして、原水出水部５０を基部１０に組み付けたときに、圧力逃し弁６５の排水口６５Ａの右側の半部が、基部１０の嵌合凹部１１ａに密嵌されるようになっている。
【００３０】
＜熱水逃し弁＞
熱水逃し弁６６は、図１６、図２０及び図２３に示すように、下端となる排水口６６Ａが、原水出水部５０の底壁５１で露出するように設けられて外部に開口すると共に、その内部流路が底壁５１から上方の所定位置（原水出水筒６０と連通する位置）まで延設されて、その内部流路の上端開口が原水出水部５０の原水出水筒６０に連通している。なお、熱水逃し弁６６の排水口（及び内部流路）の配設位置は、原水出水部５０の前端縁部における所定の左右方向位置（上方に配設される原水出水筒６０と対向する位置）となっている。更に、熱水逃し弁６６は、原水出水筒６０の内部に段付き円柱状の制御部材６７を配設している。制御部材６７は、上流側の基端部（前記排水口６６Ａ側の端部）を、前記排水口６６Ａの上端開口と原水出水筒６０の内部流路の上流側となる基端開口との間の連通部分に挿脱自在となっていると共に、下流側の先端部を、（原水出水筒６０の内部流路の下流側となる先端開口に挿着された）背面板８０の嵌合凸部８４の内部流路に挿脱自在となっている。また、熱水逃し弁６６は、原水出水筒６０の内部流路において、上流側である基端側（前記排水口６６Ａ側）に形状記憶合金からなるコイルスプリング状の制御バネ６７Ａを同軸状に配設すると共に、下流側である他端側にコイルスプリング状の押圧バネ６７Ｂを同軸状に配設している。制御バネ６７Ａは、原水出水筒６０の内部流路において、上流側である基端側の底面（前記排水口６６Ａ側の段差面）と制御部材６７の基端側の段差面との間に介装されている。また、押圧バネ６７Ｂは、（原水出水筒６０の内部流路と連通する）背面板８０の雄螺子部８２の下流側である先端側の底面と制御部材６７の先端側の段差面との間に介装されている。押圧バネ６７Ｂは、制御部材６７を常には前記排水口６６Ａの内部流路の上端開口に向かって付勢するようにしている。そして、制御バネ６７Ａは、原水出水筒６０の内部流路を所定温度未満の冷水が流動する間は、図２０に示す収縮状態を維持しており（即ち、押圧バネ６７Ｂの押圧バネ力よりも弱い押圧バネ力となっており）、これにより、押圧バネ６７Ｂの押圧付勢力により、制御部材６７の基端部が、排水口６６Ａの上端開口と原水出水筒６０の内部流路の基端開口との間の連通部分に水密に挿着されて、原水出水筒６０の内部流路内の原水が、排水口６６Ａへと流動することを遮断する。このとき、制御部材６７の先端部は、背面板８０の嵌合凸部８４の内部流路にシール部分よりも先端側の一部のみ挿入しており、制御部材６７の先端部と嵌合凸部８４の内部流路との連通は維持されているため、制御部材６７は、原水出水筒６０の内部流路内の原水が雄螺子部８２の内部流路へと流動することを許容している。一方、制御バネ６７Ａは、原水出水筒６０の内部流路を所定温度以上の温水又は熱水が流動すると、図２０に示す（低温時の弱いバネ力による）収縮状態から（形状記憶合金の特性に応じた設定温度以上時の強いバネ力による）大きな軸長へと伸長し（即ち、押圧バネ６７Ｂの押圧バネ力よりも強い押圧バネ力となり）、これにより、押圧バネ６７Ｂの押圧付勢力に抗して、制御部材６７の基端部が、排水口６６Ａの上端開口と原水出水筒６０の内部流路の基端開口との間の連通部分から離脱してその水密を解除し、原水出水筒６０の内部流路内の原水が、排水口６６Ａへと流動することを許容する。このとき、制御部材６７の先端部は、背面板８０の嵌合凸部８４の内部流路にシール部分を挿入して水密を確保及び維持し、制御部材６７の先端部のシール部分と嵌合凸部８４の内部流路との連通が遮断されるため、制御部材６７は、原水出水筒６０の内部流路内の原水が雄螺子部８２の内部流路へと流動することを遮断する。このように、熱水逃し弁６６は、制御部材６７並びに制御バネ６７Ａ及び押圧バネ６７Ｂによって、所定温度以上の原水（即ち、熱水）が、基部１０から原水出水筒５７を介して流動してきたときに、その熱水を前記内部流路の上端開口から排水口６６Ａへと導出するように開弁動作するものである。そして、熱水逃し弁６６は、常には閉弁状態にある一方で、原水出水部５０に流入した原水が設定温度以上の熱水となったときに開弁動作して、熱水を外部に放出することで、熱水が原水出水部５０から外部の浄水器に供給されないようにし、熱水による外部浄水器への影響を防止するようになっている。なお、内部の原水温度が設定温度以下になると、熱水逃し弁６６は閉弁動作する。
【００３１】
＜側面キャップ＞
図４、図６、図８〜図１０、図１３、図１６に示すように、側面キャップ７０は、側壁７１及び前壁７２によりキャップ状に一体形成されると共に、内部に螺子受７３を一体形成したものである。詳細には、側壁７１は、原水出水部５０の左開口５５部分の外周縁形状と同一の外形を有すると共に、外周から中央部にかけて若干外側に湾曲する板状である。また、前壁７２は、側壁７１の前端側に、原水出水部５０の前壁５３の湾曲形状に対応する湾曲形状となるよう一体形成された細幅の湾曲板状となっている。そして、側面キャップ７０を原水出水部５０に装着すると、側面キャップ７０の側壁７１及び前壁７２の外周縁が、原水出水部５０のキャップ装着口としての左開口５５の外周縁に合致して、側面キャップ７０を原水出水部５０の側方で隙間なく一体化することができるようになっている。一方、側面キャップ７０の内部の螺子受７３は、図４、図６及び図８に示すように、側壁７１の内側面の前後位置において、それぞれ、上下一対となるよう一体形成されている。螺子受７３は、側壁７１及び前壁７２の外周縁から外方（原水出水部５０に向かう方向）に所定寸法突出している。前後に一対ずつ設けられる（合計４個の）螺子受７３の配置位置は、側面キャップ７０を原水出水部５０に装着したときに、前側（図８中の左側）の上下一対の螺子受が、図９に示す原水出水部５０の原水出水筒６０上の前側（図９中の左側）の螺子受６１と前後方向に合致して配置され、かつ、当該螺子受６１の上下に前記上下一対の螺子受７３が密接して配置されると共に、後側（図８中の右側）の上下一対の螺子受が、図９に示す原水出水部５０の原水出水筒６０上の後側（図９中の右側）の螺子受６１と前後方向に合致して配置され、かつ、当該螺子受６１の上下に前記上下一対の螺子受７３が密接して配置される位置となっている。そして、側面キャップ７０を原水出水部５０に装着したときに、前後にそれぞれ設けられる上下一対の螺子受７３とその中間の螺子受６１とが、それらの挿通孔を整合させた状態で重ね合わされ、これにより、ビス等の締結用の雄螺子を螺子受７３及び螺子受６１の一連の挿通孔に挿通して締め付け、側面キャップ７０を原水出水部５０に（必要に応じて取り外し自在となるよう）固定できるようになっている。
【００３２】
＜原水出水部の側面の構成の別例＞
上記では、螺子受６１及び螺子受７３に雄螺子を螺入して原水出水部５０の側面に別体の側面キャップ７０を螺子締結して組み付ける構成について説明した。しかし、側面キャップ７０の原水出水部５０への取付手段として、側面キャップ７０の螺子受７３及び原水出水部５０の螺子受６１に雄螺子を螺入締結する構成を採用する場合は、かかる凹部又は開口が必要となるが、側面キャップ７０の原水出水部５０への取付手段として、原水出水部５０の内部空間に収納されるような構成を採用したり、側面キャップ７０を原水出水部５０に接着や圧入嵌合により一体的に（例えば、意図した取り外し作業をしない限り離脱不能となるように）接合する構成を採用したり、或いは、原水出水部５０の（樹脂等の所定の塑性成形材料による）成形時に側面キャップ７０に対応する側壁を原水出水部５０に一体成形する構成を採用したりする場合、前記螺子用凹部６２及びその関連部位を別形状又は別構成としたり、それらの一部又は全部を省略したりすることができる。ただし、原水出水部５０の基部１０と反対側の側面を側面キャップ７０等の閉塞部材により閉塞自在とし、かつ、その閉塞部材を螺子止め等により容易に取り外し自在として構成した場合、後述する浄水別口ダブルタイプの扁平状切換コックを構成する場合に、本実施の形態のシングルタイプの扁平状切換コックの側面キャップ７０等の閉塞部材を原水出水部５０の側面から取り外し、その原水出水部５０の側面に、浄水吐水部を装着するだけで、浄水別口ダブルタイプの扁平状切換コックを構成することができ、シングルタイプの扁平状切換コック及び（浄水別口タイプではない）通常のダブルタイプの扁平状切換コックと原水出水部５０を共用できるという特有の利点を得ることができる。
【００３３】
［背面板］
図６、図８、図１０、図１３及び図１６に示すように、背面板８０は、板状の遮蔽部８１と、遮蔽部８１の後面に突出形成された雄螺子部８２と、雄螺子部８２の中心から突出するよう同軸状に一体形成されたホースニップル８３と、遮蔽部８１の前面に一体形成された嵌合凸部８４と、遮蔽部８１の前面に一体形成された閉塞凸部８５と、遮蔽部８１の周囲に一体形成された螺子挿通部８６とを有している。詳細には、遮蔽部８１は、図５（ａ）に示すように、基部１０に原水出水部５０を装着し、かつ、原水出水部５０に側面キャップ７０を装着した取付状態において、一体化された基部１０及び原水出水部５０及び側面キャップ７０の背面側の開口の全体を遮蔽する輪郭形状を有する平板状に形成されている。雄螺子部８２は、雄螺子を外周面に形成すると共に両端を円形に開口した円筒状をなし、遮蔽部８１の右側において、前記原水出水部５０の原水出水筒６０と同軸状に整合する位置に、遮蔽部８１から後方に突出して形成されている。また、ホースニップル８３は、外部浄水器への接続用のホースを連結自在な両端を円形に開口したニップル状をなし、雄螺子部８２と同軸状となるよう、雄螺子部８２の先端面（後端面）から後方に突出して形成されている。そして、雄螺子部８２には締結キャップ８７が螺合して接合自在となっており、ホースニップル８３に外部浄水器への原水供給用のホースの基端部を外嵌し、雄螺子部８２に締結キャップ８７を螺合して締結することにより、ホースニップル８３に原水給水用のホースを接続固定するようになっている。
【００３４】
嵌合凸部８４は、両端を円形に開口した短円筒状をなし、遮蔽部８１の前面において、前記雄螺子部８２と同軸状となるよう、即ち、原水出水筒６０と同軸状に整合する位置に、遮蔽部８１から前方に突出して形成されている。嵌合凸部８４は、原水出水筒６０の先端（後端）開口の内周面の形状及び内径と同一の外周面形状及び外径を有し、原水出水筒６０の先端開口に水密に密嵌自在となっている。なお、円筒状の嵌合凸部８４は、円筒雄螺子状の雄螺子部８２と連通しており、原水出水筒６０からの原水が、嵌合凸部８４から雄螺子部８２を介してホースニップル８３に流動し、ホースニップル８３に接続した外部浄水器への給水用のホースに原水を供給するようになっている。一方、本実施の形態において、閉塞凸部８５は、嵌合凸部８４と同様の短円筒状をなし、遮蔽部８１の前面において、基部１０の浄水入水筒２１と同軸状に整合する位置に、遮蔽部８１から前方に突出して形成されている。閉塞凸部８５は、浄水入水筒２１の先端（後端）開口の内周面の形状及び内径と同一の外周面形状及び外径を有し、浄水入水筒２１の先端開口に水密に密嵌自在となっている。なお、円筒状の閉塞凸部８４は、基端（底壁側）が完全に閉塞しており、浄水入水筒２１の先端開口を完全に閉塞して、浄水入水筒２１の先端開口への装着により浄水入水筒２１の先端開口位置での通水を完全に遮断するようになっている。そして、背面板８０は、遮蔽部８１を基部１０及び原水出水部５０の背面の開口に密接して嵌合し、螺子挿通部８６の螺子挿通孔８６ａに雄螺子６３を挿通して、基部１０の螺子受２３及び原水出水部５０の螺子受６１に螺入することで、基部１０及び原水出水部５０の背面側に固定され、基部１０及び原水出水部５０の開口を遮蔽するようになっている。このとき、嵌合凸部８４が原水出水筒６０の先端開口に水密に密嵌されて原水出水筒６０の内部流路をホースニップル８３を介して外部ホースに連通すると共に、閉塞凸部８５が、浄水入水筒２１の先端開口に水密に密嵌されて浄水入水筒２１の内部流路を外部から遮断するようになっている。
【００３５】
［ハンドル］
図８、図１８及び図２０に示すように、開閉ハンドル９０は、基部１０のハンドル取付部３０に螺入して装着される操作部９１と、操作部９１の開口部を介してハンドル取付部３０の内部において弁切換部材１００の栓棒１０１の基端に螺入される雄螺子９２と、操作部９１の開口部を遮蔽するキャップ９３とを有している。詳細には、操作部９１は、所定のブロック形状をなし、ハンドル取付部３０の外周面に螺刻形成された雄螺子部分に螺入・螺退自在な雌螺子を介して、ハンドル取付部３０に外嵌装着されるようになっている。即ち、操作部９１は、図１及び図２に示すように、扁平状切換コックの側面視においてトラック形状又は上下両側を平坦面とした横長の楕円形状となり、左右方向に当該トラック形状と同一断面形状となるブロック形状をなしている。また、図３〜図６に示すように、断面トラック形状の操作部９１の短軸寸法である高さ寸法（厚み寸法）は、基部１０の高さ寸法と同一寸法とされている。更に、図７及び図８に示すように、操作部９１の通常状態で、操作部９１の前側の円弧状の湾曲面は、その上側半部が基部１０の右側壁１４の前側縁の上側半部に一致する所定曲率の円弧状の面となっている。なお、これにより、操作部９１の通常状態で、操作部９１の前側の湾曲面の下側半部は、右側壁１４の下側半部である凹部部分より前方に配置される。また、操作部９１の通常状態で、操作部９１の後側の円弧状の湾曲面は、その全体が基部１０の右側壁１４の後側縁より後方に配置される。なお、操作部９１の長軸寸法である前後寸法は、操作部９１の回動操作時の操作性を考慮して、右側壁１４の前後寸法よりも前後両側の湾曲面の厚み分（左右方向寸法）だけ大きな寸法とされているが、操作部９１を回動操作可能な限りにおいて、その他の寸法とすることもできる。また、前記雄螺子９２は、図１８に示すように、その頭部が、操作部９１の中心部に形成した凹部に収容されると共に、その軸部が、当該操作部９１の凹部から基部１０側に突出するようになっている。また、キャップ９３は、操作部９１の当該凹部の開口と同一の輪郭形状の板状をなし、操作部９１の凹部の開口に着脱して当該凹部の開口を閉塞自在となっている。
【００３６】
［弁切換部材］
図１８及び図２０に示すように、弁切換部材１００は、所定直径の円柱状をなす栓棒１０１と、前記栓棒１０１よりも小径の円柱状をなす連結部１０２と、前記連結部１０２よりも大径の多段フランジ付の短い円柱状をなす弁体１０３〜１０６とを同軸状に一体形成した略円柱状をなしている。そして、基部１０のハンドル取付部３０の内部には、軸心に沿って断面円形の軸孔３１が貫通形成されると共に、当該軸孔３１に、弁切換部材１００の栓棒１０１が挿入されるようになっている。詳細には、栓棒１０１は、ハンドル取付部３０の軸孔３１の内径と同一の外径を有する円柱状をなし、その基端部（図１８中の右端部）には、軸心に沿って延びるよう螺刻形成された雌螺子孔に前記開閉ハンドル９０の雄螺子９２が螺入されるようになっている。また、栓棒１０１の先端部の所定位置（先端から所定距離だけ離れた軸方向位置）の外周には、円形リング状の凹部溝が形成され、当該凹部溝内にＯリング１０６が密嵌されて装着されている。連結部１０２は、栓棒１０１よりも所定寸法だけ小さい直径（例えば、栓棒１０１の凹部溝の底面位置の直径と同一の直径）を有する単純円柱状をなしている。弁体１０３〜１０６は、連結部１０２と同一の直径又は連結部１０２より若干大径となる直径を有する所定軸長の円柱状部分の基端及び先端に、それぞれ、同一直径の円盤リング状又は円盤フランジ状をなす第１小径盤１０３及び第２小径盤１０５を放射方向に張り出すようにして一体形成すると共に、当該円柱状部分の軸方向中央位置（即ち、第１小径盤１０３と第２小径盤１０５との中間位置）に、第１小径盤１０３及び第２小径盤１０５よりも所定寸法だけ大径の円盤リング状又は円盤フランジ状をなす大径盤１０４を放射方向に張り出すようにして一体形成し、更に、大径盤１０４と第１小径盤１０３との間に形成される円形リング状の凹部溝と大径盤１０４と第２小径盤１０５との間に形成される円形リング状の凹部溝とに、それぞれ、Ｏリング１０６を密嵌して装着したものである。
【００３７】
ここで、弁切換部材１００の軸長（基端面から先端面までの長さ寸法）は、図１８に示すように、操作部９１の内側面がハンドル取付部３０の先端面に当接するまで操作部９１を正方向（原水吐水モードとする方向）に回転させて原水吐水モードとしたときに、弁体のうち第２小径盤１０５の先端面が、原水導水筒５７内の弁座５８の基端弁座面５８ｃに当接する長さである。なお、このとき、大径盤１０４の先端面は、弁座５８の先端弁座面５８ａに当接するよう、弁体の大径盤１０４と第２小径盤１０５との間の間隔寸法（及び、弁座５８の先端弁座面５８ａと基端弁座面５８ｃとの間の軸方向寸法）が設定されている。また、この原水吐水モードにおいて、栓棒１０１の先端が、栓棒収容筒２０と連絡部１８との間の境界位置よりも若干基端側の位置（即ち、図６に示す通水開口１９の左端より左方となる位置）に配置されるよう、栓棒１０１の長さ寸法が設定されている。また、この原水吐水モードにおいて、連結部１０２の（栓棒１０１の先端位置と一致する）基端位置は、同様に、栓棒収容筒２０と連絡部１８との間の境界位置よりも若干基端側の位置（即ち、図６に示す通水開口１９の左端より左方となる位置）に配置されると共に、連結部１０２の先端位置（弁体の第１小径盤１０３との間の境界位置）は、連絡部１８と弁座収容筒１７との間の境界位置よりも若干先端側の位置（即ち、図６に示す通水開口１９の右端より右方となる位置）に配置されるよう、連結部１０２の長さ寸法が設定されている。更に、弁体の軸長のうち、大径盤１０４と第２小径盤１０５との間の距離（間隔寸法）は、上記のように、図１８、図２２（ａ）及び図２３（ａ）に示す原水吐水モードにおいて、第２小径盤１０５の先端面が弁座５８の基端弁座面５８ｃに当接したときに、大径盤１０４の先端面が弁座５８の先端弁座面５８ａに当接する長さであるが、大径盤１０４と第1小径盤１０３との間の長さも、大径盤１０４と第２小径盤１０５との間の距離（間隔寸法）と同一長さに設定されている。一方、前図１８中の右側の一点鎖線の円形内に拡大図で示すように、基部１０内の栓棒収容筒２０の先端部には、弁体当接部２０ａが形成されている。弁体当接部２０ａは、背棒収容筒２０の先端面から奥側又は内周側の所定位置まで延びる段差面状又は段付き凹部状となっている。また、弁体当接部２０ａの内径は、弁体の大径盤１０４の外径より若干大径に設定され、大径盤１０４の基端面が弁体当接部２０ａの底面に当接自在となっている。更に、栓棒収容筒２０の内周面２０ｂは、前記弁体の第１小径盤１０３の外径と略同一に設定され、第１小径盤１０３と大径盤１０４との間のＯリングが、栓棒収容筒２０の内周面２０ｂに弾接して水密を維持するようになっている。
【００３８】
［扁平状切換コックの組立］
上記のように構成された扁平状切換コックを製造するための材料としては、弁切換部材１００が通常は金属製となる以外は、所定の合成樹脂が各部品及び各部材に応じて使用され、所定の合成樹脂を所定の成形技術（通常は、射出成形）により上記各形状及び各構成となるように成形して、基部１０、吐水部４０、原水出水部５０、側面キャップ７０、背面板８０及び開閉ハンドル９０を成形する。また、上記のように構成された扁平状切換コックは、基部１０に弁切換部材１００を組み付けた後、基部１０に開閉ハンドル９０を組み付けると共に、側面キャップ７０を装着した原水出水部５０を基部１０に組み付け、その後、基部１０、原水出水部５０及び側面キャップ７０の背面を背面板８０により覆うことで、原水側ユニットＲＵ及び浄水側ユニットＰＵ１からなる全体が組み立てられる。なお、上記のとおり、原水出水部５０として側面キャップ７０をあらかじめ一体形成する構成を採用した場合（例えば、原水出水部５０の樹脂成形時に側面キャップ部分を同時に一体成形したり、或いは、原水出水部５０の側面のキャップ装着口に側面キャップ７０を螺子止めではなく接着や圧入嵌合等により一体的に組みつけたりした場合）、原水出水部５０への側面キャップ７０の組付けは不要となる。ここで、弁切換部材１００については、開閉ハンドル９０を基部１０のハンドル取付部３０から取り外した状態で、その弁体１０３〜１０６側からハンドル取付部３０の軸孔３１内に挿入される。そして、図１８に示すように、栓棒１０１の基端面がハンドル取付部３０の先端面（軸孔３１の基端位置）に合致するまで弁切換部材１００を基部１０の内部に挿入したら、操作部９１をハンドル取付部３０に螺合して装着する。この後、雄螺子９２を操作部９１の凹部内に雄螺子を挿通し、雄螺子９２を栓棒１０１の雌螺子孔に螺入して締結することにより、操作部９１を栓棒１０１の基端に相対回動不能に固定する。これにより、操作部９１の正逆方向への回転動作に伴い、栓棒１０１を正逆方向へ回転操作（即ち、原水吐水モードと浄水吐水モードとの間での回転操作）することができるようになる。なお、雄螺子９２を栓棒１０１に螺入完了した後、操作部９１の凹部はキャップ９３により閉塞する。一方、原水出水部５０については、まず、原水出水部５０のキャップ装着口としての左開口５５に側面キャップ７０を位置合わせして嵌合し、側面キャップ７０の螺子受７３を原水出水部５０の螺子受６１と整合させ、底壁５２の螺子用凹部６２を介して下方から雄螺子を挿通して、下側の螺子受７３、中間の螺子受６１及び上側の螺子受７３に螺入して締め付けることにより、側面キャップ７０を原水出水部５０に組み付けることができる。
【００３９】
［弁切換動作］
上記のように構成した切換弁の弁切換動作について説明すると、まず、図１８並びに図２２（ａ）及び図２３（ａ）に示すように、操作部９１の内側面がハンドル取付部３０の先端面に当接するまで、操作部９１を正方向（原水吐水モードとする方向）に回転させて原水吐水モードとすると、図１８中の左側の一点鎖線の円形内に拡大して示すように、弁体のうち第２小径盤１０５の先端面が、原水導水筒５７内の弁座５８の基端弁座面５８ｃに当接すると共に、大径盤１０４の先端面が基端弁座面５８ａに当接し、かつ、大径盤１０４と第２小径盤１０５との間のＯリング１０６が内周弁座面５８ｂに弾接し、原水出水部５０の原水導水筒５７の先端開口部分で水密を確保して維持する。これにより、原水出水部５０の原水導水筒５７の内部流路と基部１０の原水入水孔２７との間での連通が、原水導水筒５７の先端部分において完全に遮断された状態となる。一方、扁平状切換コックを水栓の吐水口に装着した状態で、水栓から原水を吐水すると、その原水は、原水側ユニットＲＵの原水入水口としての取付アダプタ２４の内部流路を通過し、パッキン２６の中央の円形開口から原水入水孔２７に入水する。このとき、基部１０内において、原水入水孔２７は左右通水路２９の基端部と連通しているが、弁座５８に対する弁体の着座位置が左右通水路２９の基端部よりも原水導水筒５７側（即ち、外部浄水器への給水方向における下流側）にあるため、原水は、原水導水筒５７へ流動することはできず、左右通水路２９の基端部から連絡部１８の内部流路へと流入する。即ち、原水吐水モードでは、原水導水筒５７の内部流路と基部１０の原水入水孔２７との間での連通が完全に遮断されているため、原水は、原水導水筒５７の内部流路への流入を完全に阻止されることになり、原水が原水導水筒５７から原水出水筒６０を経て外部の浄水器に供給されることはない。また、このとき、図１８に示すように、連絡部１８の内部流路は、通水開口１９を介して、基部１０内の前後通水路２７と連通している。したがって、原水入水孔２７からの原水は、図２１に示すように、左右通水路２９の基端部から連絡部１８及び通水開口１９を経て前後通水路２８へと流入し、最終的に、吐水部４０の通水空間４３内へと進入する。これにより、吐水部４０の切換ハンドル４８の操作によりストレート吐水モードを選択した場合は、原水はストレート吐水口４５からストレート吐水される。また、吐水部４０の切換ハンドル４８の操作によりシャワー吐水モードを選択した場合は、原水はシャワー吐水口４６からシャワー吐水される。
【００４０】
一方、図２２（ｂ）及び図２３（ｂ）に示すように、操作部９１の内側面がハンドル取付部３０の先端面から離間するよう操作部９１を逆方向（浄水吐水モードとする方向）に回転させると、図１８中の右側の一点鎖線の円形内に拡大して示すように、弁体のうち大径盤１０４の基端面が弁体当接部２０ａの先端面に当接したときに、浄水吐水モードとなる。このとき、第１小径盤１０３は、栓棒収容筒２０の内部において弁体当接部２０ａよりも内側に配置されると共に、第１小径盤１０３と大径盤１０４との間のＯリング１０６が、栓棒収容筒２０の内周面２０ｂに弾接し、基部１０の栓棒収容筒２０の先端開口部分で水密を確保して維持する。これにより、基部１０の前後通水路２８と基部１０の原水入水孔２７との間での連通が、栓棒収容筒２０の先端部分において完全に遮断された状態となる。一方、扁平状切換コックを水栓の吐水口に装着した状態で、水栓から原水を吐水すると、その原水は、原水側ユニットＲＵの原水入水口としての取付アダプタ２４の内部流路を通過し、パッキン２６の中央の円形開口から原水入水孔２７に入水する。このとき、基部１０内において、原水入水孔２７は左右通水路２９の基端部と連通しているが、弁座５８に対する弁体の着座位置が左右通水路２９の基端部よりも前後通水路２８側（即ち、吐水部４０への給水方向における下流側）にあるため、原水は、吐水部４０へ流動することはできず、左右通水路２９の基端部から原水導水筒５７の内部流路へと流入する。即ち、浄水吐水モードでは、基部１０の前後通水路２８と原水入水孔２７との間での連通が完全に遮断されているため、原水は、基部１０の前後通水路２８への流入を完全に阻止されることになり、原水が前後通水路２８から吐水部４０に供給されることはない。また、このとき、図１８に示すように、連絡部１８の内部流路は、通水開口１９を介して、基部１０内の前後通水路２７と連通している。したがって、原水入水孔２７からの原水は、左右通水路２９の基端部から原水導水筒５７を経て原水出水筒６０へと流入し、その後、嵌合凸部８４の内部流路から雄螺子部８２及びホースニップル８３の内部流路を経て、最終的に、外部浄水器へと給水用のホースを介して給水されて、外部浄水器の吐水口より吐水されることになる。
【００４１】
［作用及び効果］
上記のように構成した本実施の形態の扁平状切換コックによれば、水栓の吐水口への装着部分における吐水口との接合面の高さ位置（即ち、水栓の吐水口と同一の高さ位置であって、以下、本出願書類においては説明の便宜上「水栓下最高位置」ということがある。）から、扁平状切換コックのうち最も下方に位置する部分の高さ位置（本出願書類においては説明の便宜上「水栓下最低位置」ということがある。）までの寸法が、水栓の吐水口から下方に配置される扁平状切換コック全体の高さ方向寸法となり、かかる寸法が、水栓の吐水口に扁平状切換コックを装着したときの扁平状切換コックにおける吐水口の下方の占有寸法となる。ここで、本実施の形態の扁平状切換コックの水栓下最高位置は、基部１０の原水入水口を構成するアダプタ装着部１３の下端位置又は取付アダプタ２４の下端位置（即ち、通常の装着状態で水栓の吐水口の下端が当接するパッキン２６の上面位置）となり、基部１０の上壁１２及び（基部１０の上壁１２と同一高さ位置にある）吐水部４０の上壁４１と同一又はほぼ同一の高さ位置となる。一方、扁平状切換コックの水栓下最低位置は、吐水部４０のストレート吐水口４６又はシャワー吐水口４７の下端位置となる。なお、本実施の形態の扁平状切換コックは、圧力逃し弁６５を備え、圧力逃し弁６５の排水口の下端位置は、図１７に示すように、吐水部４０のストレート吐水口４６又はシャワー吐水口４７の下端位置よりも（圧力逃し弁６５の排水口の突出寸法分だけ）若干下方に位置しているため、正確には、扁平状切換コックの水栓下最低位置は、圧力逃し弁６５の排水口の下端位置となるが、扁平状切換コックの下面において圧力逃し弁６５の排水口が占める面積は僅少であり、かつ、扁平状切換コックの下面からの排水口の突出寸法も僅少な寸法であって、更に、構成の変更により、圧力逃し弁６５の排水口が扁平状切換コックの下面から突出しない構成とすることもできるため、本実施の形態に係る扁平状切換コックの発明の把握において、扁平状切換コックの水栓下最低位置は、吐水部４０のストレート吐水口４６又はシャワー吐水口４７の下端位置である把握しても支障がない。
【００４２】
ここで、上述したように、水栓の吐水口からの原水を直下に流動させることが自然に流水経路となることから、従来の切換コックは水栓の吐水口に接続される基部相当部分の直下に吐水部相当部分を配設しているが、本実施の形態の扁平状切換コックでは、従来の切換コックとは全く異なる技術思想として、水栓の吐水口に接続される基部１０の下方又は直下にはいかなる部材又は部分も配設することなく、基部１０の側方（本実施の形態では、前方）に吐水部４０を配設している。また、本実施の形態の扁平状切換コックでは、水栓の吐水口からの原水を吐水部４０及び（外部浄水器への給水用の）浄水側ユニットＰＵ１に供給する基部１０の内部流路は、基部１０の高さ方向（上下方向）に延びる流路構成とするのではなく、実質的に基部１０の平面方向（即ち、前後方向及び左右方向）にのみ延びる流路としている。具体的には、基部１０の内部流路としては、（吐水部４０への原水の給水用の）前後通水路２８及び（浄水器への原水の給水用又は前後通水路２８への原水の給水用の）左右通水路２９が配設されるのみであり、水栓の吐水口から吐水された原水は、基部１０の原水入水孔２７を介して第１の通水路としての左右通水路２９の基端部に直接的に（即ち、他の通水路、特に、上下方向の通水路を介することなく）流入し、原水吐水モードでは左右通水路２９から第２の通水路としての前後通水路２８に直接的に流入する一方で、浄水吐水モードでは左右通水路２９から（同じく基部１０の平面方向に延びる）第３の通水路としての原水導水筒５７に直接的に（即ち、他の通水路、特に、上下方向の通水路を介することなく）流入する。即ち、本実施の形態の扁平状切換コックでは、いずれの場合も、原水は、基部１０の上下方向に延びるよう設けた通水路を介して流動することなく、基部１０の平面方向にのみ延びるよう設けた各通水路（左右通水路２９及び前後通水路２８）を介して、基部１０の平面方向においてのみ基部１０の内部を流動し、最終的に、吐水部４０から吐水される。
【００４３】
そして、原水吐水モードでは、原水は、基部１０の左右通水路２９の基端部から前後通水路２８をそのまま前方に流動して、吐水部４０の通水空間４３に流入する。このとき、吐水部４０は、基部１０と同一厚み寸法（同一高さ方向寸法）で、基部１０と完全に重なるようにして基部１０の前方に配設されている。特に、本実施の形態の扁平状切換コックは、吐水部４０の下端又は下側面のうち、基部１０の下端又は下側面から下方に突出す部分又は部位がないように構成され、これにより、基部１０に設けた吐水部４０が扁平状切換コック全体の高さ方向寸法を増大することがないようにしている。また、吐水部４０を中心に説明すると、本実施の形態の扁平状切換コックは、吐水部４０を扁平状の薄肉の構成とすると共に、同様の薄肉状をなす扁平状の基部１０を吐水部４０の後方に連結して、それらを基部１０の平面方向にのみ延びる左右通水路２９及び前後通水路２８により連通することにより、吐水部４０の厚み寸法（高さ方向寸法）の範囲内に、原水の導入部分である基部１０の厚み寸法（高さ方向寸法）が収まるようにしている。（なお、この構造を、説明の便宜上、本出願書類では「全体的扁平構造」ということがある。）また、本実施の形態の扁平状切換コックでは、水栓下最高位置（取付アダプタ２４の下端位置）と左右通水路２９の上端位置との間の距離は、パッキン２６等を当接支持するためにアダプタ装着部１３の下端に一体形成される隔壁２５の厚み分の距離である非常に小さな距離であり、水栓の吐水口からの原水を基部１０内の通水路に導入するための上下方向の通水路は実質的に存在しないため、上下方向の通水路を設ける場合のように水栓の吐水口の下方に位置する部分の上下方向寸法を増大することがない。即ち、基部１０においては、左右通水路２９の基端部に連通する原水入水孔２７が設けられるが、この原水入水孔２７は、基部１０の隔壁２５を貫通する孔状のものであって、扁平状切換コックの上下方向寸法の拡大の観点からは、上下方向の通水路に相当するものではない。
【００４４】
したがって、本実施の形態の扁平状切換コックによれば、水栓の吐水口からの原水は、（取付アダプタ２４の下端位置となる）基部１０の上壁１２の位置から入水し、基部１０の原水孔２７を介して左右通水路２９に流入した直後に、左右通水路２９を形成する弁座収容筒１７の下部内周面によって直交方向（即ち、基部１０の平面方向）へと進行方向を瞬時に変更され、左右通水路２９内を基部１０の平面方向に流動し、その後、原水吐水モードでは（左右通水路２９と同一高さ位置にあり、かつ、左右通水路２９とほぼ同一の高さ範囲を占める）前後通水路２８内を基部１０の平面方向に流動して吐水部４０から吐水され、浄水吐水モードでは、原水導水筒５７内を基部１０の平面方向に流動して外部浄水器へと供給されることになる。即ち、水栓の吐水口からの原水は、基部１０の内部をその平面方向にのみ流動し、上下方向に流動することがない。
【００４５】
そして、本実施の形態の扁平状切換コックは、基部１０の平面方向（即ち、設置時の水平方向）にのみ延びるように通水流路を形成することにより、その水栓下最高位置から水栓下最低位置までの高さ寸法を、水平方向に延びる通水流路である左右通水路２９の直径に相当する高さ寸法（正確には、左右通水路２９を形成する弁座収容筒１７の外径に基部１０の底壁１１及び上壁１２の壁厚を加えた高さ寸法）まで縮小することができる。換言すれば、本実施の形態の扁平状切換コックは、吐水部４０の通水空間４３の厚み寸法（高さ寸法）の範囲内に基部１０内の左右通水路２９及び前後通水路２８のいずれもが収められるよう構成されており、扁平状切換コックの水栓下最高位置から水栓下最低位置までの高さ寸法を、吐水部４０の厚み寸法（高さ寸法）の範囲内へと縮小することができる。特に、基部１０の前後通水路２８からの原水は、吐水部４０の通水空間４３に水平方向に進入した後に、通水空間４３内を前方に向かって水平方向に流動し、通水空間４３を形成する周壁４２の内周面によって、直交方向に進行方向を瞬時に変更されて通水空間４３を下方に流動し、切換部材４４を介して、ストレート吐水モードではストレート吐水口４６から吐水され、シャワー吐水モードではシャワー吐水口４７から吐水される。したがって、基部１０と吐水部４０との連結部分においても、吐水部４０内において下方へ通水を導くための上下方向の流路は設ける必要がない。
【００４６】
加えて、本実施の形態の扁平状切換コックでは、左右通水路２９を形成する弁座収容筒１７には、連絡部１８及び栓棒収容筒２０が同軸状に一体形成され、その栓棒収容筒２０内に弁切換部材１００の栓棒１０１が密接状態で摺動自在となるよう収容され、また、連絡部１８に連結部１０２が収容され、更に、弁座収容筒１７の基端部内を弁体１０３〜１０６が進退するようになっている。そして、原水吐水モードでは、基部１０の左右通水路２９の内部（即ち、弁座収容筒１７の内部）に弁切換部材１００の弁体１０３〜１０６が進入したときに、左右通水路２９の基端部が連絡部１８の内部流路を介して前後通水路２８と連通するが、このとき、段付き円柱状である弁体１０３〜１０６の最大直径（大径盤１０４の外径）は連絡部１８の内径よりも若干大きな直径である一方、連絡部１８内に位置する円柱状の連結部１０２の外径は、連結部１８の内径よりも所定寸法だけ小さい直径であり、更に、弁体１０３〜１０６の最小直径（大径盤１０４と小径盤１０３，１０５との間の谷部分の直径）よりも小さな直径となっている。したがって、このとき、連絡部１８の内周面と連結部１０２の外周面との間には、十分な通水用の間隙が形成されることとなり、左右通水路２９からの原水が、連絡部１８の内周面と連結部１０２の外周面との間の十分大きな通水用の間隙を介して、前後通水路２８へと十分な通水量で円滑に流入する。
【００４７】
その結果、本実施の形態の扁平状切換コックによれば、水栓の吐水口に装着される扁平状切換コックにおいて、水栓の吐水口への取付部分である取付アダプタ２４の下端位置（水栓下最高位置）から扁平状切換コック自体の吐水部４０のストレート吐水口４６及びシャワー吐水口４７の吐水面の位置（水栓下最低位置）までとなる（従来の切換コックの本体の軸長に相当する）扁平状切換コック全体の高さ寸法を、扁平状切換コックの吐水部４０の厚み寸法と同等の寸法まで縮小することができ、水栓の吐水口からシンクの底面までの距離が（一般的な場合に比較して）相対的に小さくなるような水栓に取り付けた場合でも、食器洗い等の作業をする場合の使用者の作業空間を十分に確保することができ、洗い物等をする場合に使用者に窮屈な作業を強いることのないようにすることが可能で、かつ、この場合でも、十分な通水量を確保することができる。
【００４８】
更にまた、本実施の形態の扁平状切換コックでは、前後通水路２８のうち、基部１０側となる基端側部分を（例えば、背面板８０の閉塞凸部８４の直径と同一直径の）断面円形状をなす後側通水路に形成すると共に、基部１０と吐水部４０との境界位置から吐水部４０側となる部分を、後側通水路よりも上下方向寸法を小さくした（例えば、基端側部分の上側の半円部分のみからなる断面半円状とした）前側通水路に形成しているため、特に、図２１に示すように、基部１０と吐水部４０との接合部分において吐水部４０の周壁４２の一部が基部１０側に重複して配置される場合でも、当該重複部分における各部材または各部分の配設スペースを（前側通水路の下側に）確保することができる。その結果、扁平状の吐水部４０からなる全体的扁平構造を採用しているにもかかわらず、基部１０から吐水部４０にかけて、円滑、かつ、十分な通水量の内部通水を確保することができる一方で、基部１０及び吐水部４０の各種部材又は各種部分の収容スペース又は配置スペースを確保することができ、全体の厚み寸法を小さくすることに加えて、全体の構成を更にコンパクトなものとすることができる。
【００４９】
［実施の形態２］
本発明の実施の形態２に係る扁平状切換コックについて、図２４〜図３６を参照して説明する。まず、実施の形態２の扁平状切換コックは、水栓の吐水口からの原水を、原水吐水モードでは原水吐水口及び浄水吐水口を兼用する吐水口から吐出する共に、浄水吐水モードでは外部の浄水器に供給した後、外部の浄水器からの浄水を還流して、前記原水吐水口及び浄水吐水口を兼用する吐水口から吐出する、いわゆる通常のダブルタイプの扁平状切換コックに具現化される。即ち、実施の形態２の扁平状切換コックは、図２４〜図２６に示すように、実施の形態１の扁平状切換コックと同様に、原水側ユニットＲＵ及び浄水側ユニットＰＵ１を一体化して、それらの背面を背面板１８０により覆うと共に、原水側ユニットＲＵに弁切換部材１００を設け、開閉ハンドル９０を回動操作して弁切換部材１００により原水吐水モードと浄水吐水モードとの間で弁切換動作を行うように構成されている。一方、実施の形態２の扁平状切換コックは、背面板１８０の構成において実施の形態１の扁平状切換コックと相違する。即ち、実施の形態２の扁平状切換コックの背面板１８０以外の構成は、実施の形態１の扁平状切換コックと同様の構成とすることができ、背面板１８０以外の部材を実施の形態１の扁平状切換コックと共用することができるようになっている。
【００５０】
［背面板］
詳細には、図２７〜図３２に示すように、実施の形態２の扁平状切換コックにおいて、背面板１８０は、実施の形態１の遮蔽部８１と同一輪郭の板状をなす遮蔽部１８１を備えている。なお、遮蔽部１８１の後面には、実施の形態１と同一構成の雄螺子部８２及びホースニップル８３が同一位置に突出形成されると共に、遮蔽部１８１の前面には、実施の形態１と同一構成の嵌合凸部８４が同一位置に突出形成されている。また、遮蔽部１８１の周囲には、実施の形態１の螺子挿通部８６と同一構成の螺子挿通部８６が同一位置に一体形成されている。一方、遮蔽部１８１の前面において、実施の形態１の背面板８０の閉塞凸部８５と同一位置には、前記嵌合凸部８４と同一構成の嵌合凸部１８５が一体形成されている。また、図３３〜図３５に示すように、遮蔽部１８１の後面には、前記雄螺子部８２及びホースニップル８３と同一構成の雄螺子部１８２及びホースニップル１８３が、嵌合凸部１８５と同軸状となるよう後方に突出して一体形成されている。そして、雄螺子部１８２には、実施の形態１の締結キャップ８７と同一構成の締結キャップ１８７が螺合して接合自在となっており、ホースニップル１８３に外部浄水器からの浄水給水用のホースの先端部を外嵌し、雄螺子部１８２に締結キャップ１８７を螺合して締結することにより、ホースニップル１８３に浄水給水用のホースを接続固定するようになっている。これにより、背面板１８０は、遮蔽部１８１を基部１０及び原水出水部５０の背面の開口に密接して嵌合し、螺子挿通部８６の螺子挿通孔８６ａに雄螺子６３を挿通して、基部１０の螺子受２３及び原水出水部５０の螺子受６１に螺入することで、基部１０及び原水出水部５０の背面側に固定され、基部１０及び原水出水部５０の開口を遮蔽するようになっている。このとき、嵌合凸部８４が原水出水筒６０の先端開口に水密に密嵌されて原水出水筒６０の内部流路をホースニップル８３を介して外部ホース（外部浄水器への原水給水用のホース）に連通すると共に、嵌合凸部１８５が、浄水入水筒２１の先端開口に水密に密嵌されて浄水入水筒２１の内部流路をホースニップル１８３を介して外部ホース（外部浄水器からの浄水給水用のホース）に連通するようになっている。
【００５１】
［扁平状切換コックの組立及び弁切換動作］
実施の形態２の扁平状切換コックは、実施の形態１の扁平状切換コックと同様にして、原水側ユニットＲＵに浄水側ユニットＰＵ１を組みつけた後に、それらの後面に背面板１８１を組付けることにより全体を組み立てることができる。また、実施の形態２の扁平状切換コックは、実施の形態１の扁平状切換コックと同様にして、弁切換部材１００を回動操作して、原水吐水モードと浄水吐水モードとの間で切り換え自在である。一方、実施の形態２の扁平状切換コックは、浄水吐水モードでは、水栓の吐水口からの原水は、基部１０の左右通水路２９の基端部から原水導水筒５７を経て原水出水筒６０へと流入し、その後、嵌合凸部８４の内部流路から雄螺子部８２及びホースニップル８３の内部流路を経て、外部浄水器へと原水給水用のホースを介して給水される。一方、実施の形態２の扁平状切換コックでは、外部浄水器からの浄水を還流して吐水部４０から吐水する構成のため、外部浄水器からの浄水は、図３６に示すように、浄水給水用のホースを介して、雄螺子部１８２及びホースニップル１８３の内部流路へと流入し、最終的には、嵌合凸部１８４の内部流路から基部１０の前後通水路２８の基端開口を経て当該前後通水路２８の内部に流入する。そして、その浄水は、前後通水路２８から吐水部４０の通水空間４３内へと進入する。これにより、吐水部４０の切換ハンドル４８の操作によりストレート吐水モードを選択した場合は、その浄水がストレート吐水口４５からストレート吐水される。また、吐水部４０の切換ハンドル４８の操作によりシャワー吐水モードを選択した場合は、その浄水はシャワー吐水口４６からシャワー吐水される。
【００５２】
［作用及び効果］
上記のように構成した実施の形態２の扁平状切換コックは、いわゆるダブルタイプの扁平状切換コックとしても大幅な薄型化が可能となり、実施の形態１の扁平状切換コックと同様の作用効果を発揮する。また、実施の形態２の扁平状切換コックによれば、背面板１８１のみを除いて実施の形態１の扁平状切換コックと同一の構成を採用することができ、殆どの部品をシングルタイプである実施の形態１の扁平状切換コックと共用し、全体の製造コストを大幅に削減することができる。更に、実施の形態２の扁平状切換コックは、背面板１８１を実施の形態１の背面板８１と交換するだけで、シングルタイプの扁平状切換コックとして使用することが可能になるという特有の作用効果も発揮する。（換言すれば、実施の形態１の扁平状切換コックも、背面板８１を実施の形態２の背面板１８１と交換するだけで、ダブルタイプの扁平状切換コックとして使用することが可能になるという特有の作用効果を発揮する。）ここで、実施の形態１及び実施の形態２の扁平状切換コックは、いずれも、浄水側ユニットＰＵ１の原水出水部５０の側面に側面キャップ７０を着脱自在に取り付ける構成としているが、実施の形態１で述べたように、原水出水部５０の側面に側面キャップ７０に相当する側壁を一体形成した構成とすることもできる。このように、側面キャップに相当する部分を原水出水部５０と別体構成としない場合でも、ダブルタイプである実施の形態の２の扁平状切換コックの（側面を予め遮蔽した）原水出水部５０の構成は、シングルタイプである実施の形態１の扁平状切換コックの原水出水部５０の構成と同一となるため、やはり、シングルタイプとダブルタイプとで原水出水部５０を共用できることになる。
【００５３】
ところで、上記実施の形態１及び実施の形態２の扁平状切換コックにおいて、浄水側ユニットＰＵ１は、原水出水部５０と側面キャップ７０とを一体形成した一体構成とすることも可能であるが、上述したように、本発明に係る扁平状切換コックでは、原水側ユニットＲＵの構造をシングルタイプとダブルタイプとで同一とすることで、これに追加する浄水側ユニット（ＰＵ１等）のみ変更することにより、シングルタイプの扁平状切換コック及びダブルタイプの扁平状切換コック（通常のダブルタイプのほか浄水別口タイプのダブルタイプも含む）を完成することができ、構造共通化によるコスト低減等の効果を発揮できるようにしていることから、特に、通常のダブルタイプの扁平状切換コックと浄水別口タイプのダブルタイプの扁平状切換コックとの間でも、浄水出水部を共用できるよう、側面キャップを着脱自在な構成とすることが好ましい。
【００５４】
［実施の形態３］
本発明の実施の形態３に係る扁平状切換コックについて、図３７〜図４７を参照して説明する。まず、実施の形態３の扁平状切換コックは、水栓の吐水口からの原水を、原水吐水モードでは原水専用の吐水口から吐出する共に、浄水吐水モードでは外部の浄水器に供給した後、外部の浄水器からの浄水を還流して、浄水専用の吐水口から吐出する、いわゆる浄水別口タイプのダブルタイプの扁平状切換コックに具現化される。即ち、実施の形態３の扁平状切換コックは、図３７〜図３８に示すように、実施の形態１及び実施の形態２の扁平状切換コックと同様に、別体構成の原水側ユニットＲＵ及び浄水側ユニットＰＵ２を組み付けにより一体化して、それらの背面を背面板２８０により覆うと共に、原水側ユニットＲＵに弁切換部材１００を設け、開閉ハンドル９０を回動操作して弁切換部材１００により原水吐水モードと浄水吐水モードとの間で弁切換動作を行うように構成されている。一方、実施の形態３の扁平状切換コックは、浄水側ユニットＰＵ２及び背面板２８０の構成において実施の形態１及び実施の形態２の扁平状切換コックと相違する。即ち、実施の形態３の扁平状切換コックの浄水側ユニットＰＵ２及び背面板１８０以外の構成（即ち、原水側ユニットＲＵの構成）は、実施の形態１及び実施の形態２の扁平状切換コックと同様の構成とすることができ、原水側ユニットＲＵの部材を実施の形態１及び実施の形態２の扁平状切換コックと共用することができるようになっている。
【００５５】
［浄水側ユニット］
詳細には、実施の形態３の浄水側ユニットＰＵ２は、前記原水側ユニットＲＵの基部１０に着脱自在に装着される原水出水部２５０と、原水出水部２５０の左側に隣接又は密接して一体形成された浄水吐水部２６０とからなる。即ち、浄水側ユニットＰＵ２は、その右半部を構成する原水出水部２５０と、その左半部を構成する浄水吐水部２６０とを左右に併設して一体形成した構成を備えている。より詳細には、まず、図３９に示すように、原水出水部２５０及び浄水吐水部２６０からなる浄水側ユニットＰＵ２は、一体の筐体構成を備えており、底壁２５１と上壁２５２とを高さ方向に所定の間隔（前記基部１０の上壁１２及び底壁１１の間隔と同一間隔）を置いて互い平行となるよう配置している。即ち、原水出水部２５０及び浄水吐水部２６０の高さ寸法は、基部１０の高さ寸法と同一であり、原水出水部２５０及び浄水吐水部２６０からなる浄水側ユニットＰＵ２を原水側ユニットＲＵの基部１０の左側の開口端に装着したときに、浄水側ユニットＰＵ２の上下両面が基部１０の上下両面と面一となるようになっている。また、図４１及び図４２に示すように、浄水側ユニットＰＵ２は、その前端を閉塞して湾曲板状の前壁２５３としている。なお、図４６に示すように、原水出水部２５０は、実施の形態１の原水出水部５０と同様、その右端における後端部の所定寸法部分だけを除いて底壁２５１と上壁２５２との間を閉塞して右側壁５４を形成している。一方、浄水側ユニットＰＵ２の左側面は、実施の形態１の浄水側ユニットＰＵ１のように側面キャップ７０等の部材が着脱自在に装着されて遮蔽されるのではなく、左側壁２５４を一体形成することにより遮蔽されている。
【００５６】
＜原水出水部＞
図４６に示すように、原水出水部２５０は、実施の形態１の原水出水部５０と同様、その右端から突出する内嵌合部５６を一体形成している。また、原水出水部２５０は、浄水吐水部２６０と一体形成されている点（そして、これにより、底壁２５１、上壁２５２、前壁２５３を浄水吐水部２６０と共用している点）を除き、実施の形態１の原水出水部５０と同様の構成であり、原水出水部２５０の内部には、実施の形態１の原水出水部５０と同様に、原水導水筒５７及び原水出水筒６０が配設され、原水導水筒５７には弁座５８及びＯリング５９が設けられている。更に、図４５に示すように、原水出水部２５０の背面側及び底面側には、実施の形態１の原水出水部５０と同様、螺子受６１及び螺子用凹部６２が設けられている。更にまた、浄水吐水部２６０の背面側にも、左側壁２５４の内面の上下位置に、それぞれ、同様の螺子受６１が設けられている。また、図４４に示すように、原水出水部２５０には、実施の形態１の原水出水部５０と同様、圧力逃し弁６５及び熱水逃し弁６６が設けられている。
【００５７】
＜浄水吐水部＞
また、図４６に示すように、浄水吐水部２６０は、原水出水部２５０の左端と左側壁２５４との間の内部空間に、浄水吐水部２６０の前端付近の位置から後端付近の位置まで延びるよう、浄水入水筒２６１を一体形成している。浄水入水筒２６１は、前壁３５３の内側面（後側面）から後方に直交して突出する略円筒状をなし、その先端は、背面側の開口端より若干内側の位置（即ち、前記原水出水筒６０の先端と同一位置）に配置されている。これにより、原水出水筒６０の先端の円形開口及び浄水入水筒２６１の先端の円形開口が、浄水側ユニットＰＵ２の背面側において同一位置で後方に向かって開口するようになっている。なお、前記螺子受６１の先端位置（後端位置）は、原水出水筒６０及び浄水入水筒２６１の先端位置と同一位置となっている。また、浄水吐水部２６０の内部には、浄水吐水通路２６２が上下方向に延びるよう形成されている。浄水吐水通路２６２は、その上端が前記浄水入水筒２６１の基端部（図４６中の下端部）と連通している。即ち、浄水吐水部２６０は、浄水入水筒２６１の基端側に、直交して下方に延びるよう、浄水吐水通路２６２を一体形成している。更に、図４４に示すように、浄水吐水通路２６２の下端には、円形リング板状の浄水吐水部２６３が固着され、その内周側に円形開口となる浄水吐水口２６４を形成している。浄水吐水部２６３は、浄水吐水部２６０において底壁２５１の前端側部分に配置されている。これにより、浄水入水筒２６１の先端開口が、浄水吐水通路２６２を介して、浄水吐水部２６３の浄水吐水口２６４と連通している。
【００５８】
［背面板］
図４０に示すように、実施の形態３の扁平状切換コックにおいて、背面板２８０は、板状の遮蔽部２８１を有している。遮蔽部２８１は、基部１０に原水出水部２５０及び浄水吐水部２６０からなる浄水側ユニットＰＵ２を装着した取付状態において、一体化された基部１０並びに原水出水部２５０及び浄水吐水部２６０の背面側の開口の全体を遮蔽する輪郭形状を有する平板状に形成されている。詳細には、遮蔽部２８１は、実施の形態１の遮蔽部８１に対応する板状部分（即ち、基部１０と原水出水部２５０の背面側の開口形状と同一輪郭形状を有し、当該開口の全体を遮蔽する部分）の左側に、浄水吐水部２６０の背面側の開口形状と同一輪郭形状を有し、当該開口の全体を遮蔽する部分を一体形成した平板状をなしている。なお、遮蔽部２８１において原水出水部２５０と対向する部分の後面には、実施の形態１と同一構成の雄螺子部８２及びホースニップル８３が同一位置に突出形成されると共に、遮蔽部２８１において原水出水部２５０と対向する部分の前面には、実施の形態１と同一構成の嵌合凸部８４が同一位置に突出形成されている。また、図４２〜図４４並びに図４６に示すように、遮蔽部２８１において浄水吐水部２６０と対向する部分の前面の中央位置には、実施の形態１の嵌合凸部８４と同一構成の嵌合凸部２８４が一体形成されている。また、遮蔽部２８１において浄水吐水部２６０と対向する部分の後面には、前記雄螺子部８２及びホースニップル８３と同一構成の雄螺子部２８２及びホースニップル２８３が、嵌合凸部２８５と同軸状となるよう後方に突出して一体形成されている。そして、雄螺子部２８２には、実施の形態１の締結キャップ８７と同一構成の締結キャップ２８７が螺合して接合自在となっており、ホースニップル２８３に外部浄水器からの浄水給水用のホースの先端部を外嵌し、雄螺子部２８２に締結キャップ２８７を螺合して締結することにより、ホースニップル２８３に浄水給水用のホースを接続固定するようになっている。
【００５９】
図４０に示すように、遮蔽部２８１の周囲において、前記基部１０並びに原水出水部２５０及び浄水吐水部２６０の螺子受２３，６１と整合する位置には、それぞれ、実施の形態１の螺子挿通部８６と同一構成の螺子挿通部８６が一体形成されている。そして、背面板２８０は、遮蔽部２８１を基部１０並びに原水出水部２５０及び浄水吐水部２６０の背面の開口に密接して嵌合し、螺子挿通部８６の螺子挿通孔８６ａに雄螺子６３を挿通して、基部１０の螺子受２３並びに原水出水部２５０及び浄水吐水部２６０の螺子受６１に螺入することで、基部１０及び並びに原水出水部２５０及び浄水吐水部２６０の背面側に固定され、基部１０並びに原水出水部２５０及び浄水吐水部２６０の開口を遮蔽するようになっている。このとき、嵌合凸部８４が原水出水筒６０の先端開口に水密に密嵌されて原水出水筒６０の内部流路をホースニップル８３を介して外部ホース（外部浄水器への原水給水用のホース）に連通すると共に、嵌合凸部２８５が、浄水入水筒２６１の先端開口に水密に密嵌されて浄水入水筒２６１の内部流路をホースニップル２８３を介して外部ホース（外部浄水器からの浄水給水用のホース）に連通するようになっている。
【００６０】
［扁平状切換コックの組立及び弁切換動作］
実施の形態３の扁平状切換コックは、実施の形態１の扁平状切換コックと同様にして、原水側ユニットＲＵに浄水側ユニットＰＵ２を組みつけた後に、それらの後面に背面板２８０を組付けることにより全体を組み立てることができる。また、実施の形態３の扁平状切換コックは、実施の形態１の扁平状切換コックと同様にして、弁切換部材１００を回動操作して、原水吐水モードと浄水吐水モードとの間で切り換え自在である。一方、実施の形態３の扁平状切換コックは、浄水吐水モードでは、水栓の吐水口からの原水は、基部１０の左右通水路２９の基端部から原水導水筒５７を経て原水出水筒６０へと流入し、その後、嵌合凸部８４の内部流路から雄螺子部８２及びホースニップル８３の内部流路を経て、外部浄水器へと原水給水用のホースを介して給水される。一方、実施の形態３の扁平状切換コックでは、外部浄水器からの浄水を還流して浄水吐水部２６０から吐水する構成のため、外部浄水器からの浄水は、図４７に示すように、浄水給水用のホースを介して、雄螺子部２８２及びホースニップル２８３の内部流路へと流入し、嵌合凸部２８４の内部流路から浄水吐水部２６０の浄水入水筒２６１の先端開口に流入する。そして、その浄水は、浄水入水筒２６１から浄水吐水通路２６２の内部流路に進入し、最終的に、浄水吐水部２６３の浄水吐水口２６４から吐水される。
【００６１】
［作用及び効果］
上記のように構成した実施の形態３の扁平状切換コックは、いわゆる浄水別口ダブルタイプの扁平状切換コックとしても大幅な薄型化が可能となり、実施の形態１及び実施の形態２の扁平状切換コックと同様の作用効果を発揮する。また、実施の形態３の扁平状切換コックによれば、浄水側ユニットＰＵ２及び背面板２８１を除いて実施の形態１の扁平状切換コック又は実施の形態２の扁平状切換コックと同一の構成を採用することができ、殆どの部品をシングルタイプである実施の形態１の扁平状切換コック又は通常ダブルタイプである実施の形態２の扁平状切換コックと共用し、全体の製造コストを大幅に削減することができる。
【００６２】
［実施の形態４］
本発明の実施の形態４に係る扁平状切換コックについて、図４８〜図５３を参照して説明する。実施の形態４の扁平状切換コックは、実施の形態３の扁平状切換コックと同様のいわゆる浄水別口タイプのダブルタイプの扁平状切換コックに具現化され、実施の形態３の扁平状切換コックと同様に、別体構成の原水側ユニットＲＵ及び浄水側ユニットＰＵ２を組み付けにより一体化して、それらの背面を背面板２８０により覆うと共に、原水側ユニットＲＵに弁切換部材１００を設け、開閉ハンドル９０を回動操作して弁切換部材１００により原水吐水モードと浄水吐水モードとの間で弁切換動作を行うように構成されている。一方、実施の形態４の扁平状切換コックは、浄水側ユニットＰＵ２の構成において実施の形態３の扁平状切換コックと相違する。即ち、実施の形態３の扁平状切換コックが、浄水側ユニットＰＵ２として原水出水部２５０に浄水吐水部２６０を一体化したものを使用しているのに対し、実施の形態４の扁平状切換コックは、原水出水部５０及び浄水吐水部２７０を別体構成として、原水出水部５０に浄水吐水部２７０を着脱自在とすると共に、原水出水部５０に浄水吐水部２７０を装着することで、浄水側ユニットＰＵ２を完成するようにしている。なお、実施の形態４の扁平状切換コックの背面板２８０の構成は、実施の形態３の扁平状切換コックの背面板２８０と同様である。
【００６３】
詳細には、実施の形態４の扁平状切換コックは、実施の形態１の扁平状切換コックの基部１０及び原水出水部５０を使用する一方で、実施の形態１の（原水出水部５０の左側面に着脱される）側面キャップ７０の代わりに、浄水吐水部２７０を原水出水部５０の左側面に着脱自在となるよう設けると共に、基部１０、原水出水部５０及び浄水吐水部２７０の背面側の開口を遮蔽板２８０により遮蔽している。具体的には、図４８に示すように、浄水吐水部２７０は、実施の形態３の浄水吐水部２６０の外壁と対応する壁形状の周壁２７１により筐体状に一体形成されると共に、図４９に示すように、その内部に実施の形態３の浄水入水筒２６０及び浄水吐水通路と同様の構成の浄水入水筒２６１及び浄水吐水通路２６２を同様の態様で配設している。また、浄水吐水部２７０は、その右端の開口から突出するよう、実施の形態１の螺子受７３と同様の構成の螺子受７３を一体形成している。なお、この螺子受７３は、浄水吐水部２７０の内部の浄水入水筒２６１の周面から突出するよう形成されている。また、浄水吐水部２７０の底面には、実施の形態３の浄水吐水部２６３と同様の構成の浄水吐水部が同様の位置に配設され、浄水吐水通路２６２からの浄水を浄水吐水口２６４から吐水するようになっている。そして、実施の形態１において側面キャップ７０を原水出水部５０に装着するのと同状にして、浄水吐水部２７０を原水出水部５０に装着すると、浄水吐水部２７０の周壁２７１の外周縁が、原水出水部５０の左開口５５の外周縁に合致して、浄水吐水部２７０を原水出水部５０の側方で隙間なく一体化することができるようになっている。
【００６４】
［扁平状切換コックの組立及び弁切換動作］
実施の形態４の扁平状切換コックは、実施の形態３の扁平状切換コックと同様にして、原水側ユニットＲＵに浄水側ユニットＰＵ２を組みつけた後に、それらの後面に背面板２８０を組付けることにより全体を組み立てることができる。また、実施の形態４の扁平状切換コックは、実施の形態１の扁平状切換コックと同様にして、弁切換部材１００を回動操作して、原水吐水モードと浄水吐水モードとの間で切り換え自在である。一方、実施の形態４の扁平状切換コックは、浄水吐水モードでは、水栓の吐水口からの原水は、基部１０の左右通水路２９の基端部から原水導水筒５７を経て原水出水筒６０へと流入し、その後、嵌合凸部８４の内部流路から雄螺子部８２及びホースニップル８３の内部流路を経て、外部浄水器へと原水給水用のホースを介して給水される。一方、実施の形態４の扁平状切換コックでは、外部浄水器からの浄水を還流して浄水吐水部２７０から吐水する構成のため、外部浄水器からの浄水は、浄水給水用のホースを介して、雄螺子部２８２及びホースニップル２８３の内部流路へと流入し、嵌合凸部２８４の内部流路から浄水吐水部２７０の浄水入水筒２６１の先端開口に流入する。そして、その浄水は、浄水入水筒２６１から浄水吐水通路２６２の内部流路に進入し、最終的に、浄水吐水部２６３の浄水吐水口２６４から吐水される。
【００６５】
［作用及び効果］
上記のように構成した実施の形態４の扁平状切換コックは、実施の形態３の扁平状切換コックと同様、いわゆる浄水別口ダブルタイプの扁平状切換コックとしても大幅な薄型化が可能となり、実施の形態１及び実施の形態２の扁平状切換コックと同様の作用効果を発揮する。また、実施の形態４の扁平状切換コックによれば、浄水側ユニットＰＵ２の浄水吐水部２７０を除いて実施の形態１の扁平状切換コックと同一の構成を採用することができ、殆どの部品をシングルタイプである実施の形態１の扁平状切換コックと共用し、全体の製造コストを大幅に削減することができる。
【００６６】
［その他の別例］
ところで、上記実施の形態においては、別体の原水側ユニットＲＵと別体の浄水側ユニットＰＵ１，ＰＵ２とにより（浄水側ユニットＰＵ１，ＰＵ２を原水側ユニットＲＵに装着して）扁平状切換コックの全体を構成するようにしているが、本発明の扁平状切換コックは、原水側ユニットＲＵに相当する部材と浄水側ユニットＰＵ１，ＰＵ２に相当する部材を一体化した構成とすることもでき、或いは、浄水側ユニットＰＵ１，ＰＵ２の構成を原水側ユニットＲＵに一体的に設けた構成とすることができる。例えば、実施の形態１のシングルタイプの扁平状切換コックの場合、及び、実施の形態２のダブルタイプの扁平状切換コックの場合において、基部自体に、外部浄水器への原水の供給が可能な通水路及び／又は通水口等の給水機構を設けた場合、別体の浄水側ユニットＰＵ１，ＰＵ２は省略することができる。また、本発明に係る扁平状切換コックは、上記実施の形態の構成以外にも、少なくとも、基部１０に相当する部材であって水栓の吐水口に装着される原水入水部を上端側に有する基部相当部材を備えると共に、水栓への装着状態における基部相当部材の前方又は側方（左側、左手前斜め、右側、右手前斜め等、前方及び後方以外の任意の方向）に吐水部４０に相当する吐水部相当部材を隣接して配設する一方で、基部相当部材の内部に、基部相当部材の平面方向において吐水部相当部材の通水空間に向かう第１の方向へと延びる第１の通水路を設けると共に、基部相当部材の内部に、前記第１の方向と交差する（好ましくは、直交する、又は、直交状態に近い角度で交差する）第２の方向へと延びる第２の通水路を設け、基部相当部材の原水入水部の下端と第２の通水路とを上下方向においては僅少間隔で（例えば、原水入水孔２７のような隔壁２５の厚み分のみの非常に小さな上下高さを有する孔又は開口によって）連通する限りにおいて、上記実施の形態以外の任意の構成とすることができる。この場合、基部の第２の通水路内における下流側に弁座を設け、かつ、弁切換部材の弁体を第２の通水路内における上流側に第２の通水路に沿って摺動して前記弁座に対して進退自在となるよう収容配置するものであれば、上記実施の形態の構成以外の任意の構成とすることができる。また、外部浄水器への原水の給水構造についても、基部の第２の通水路の下流端に外部浄水器への給水用のホース等の給水管を接続するものであれば、上記実施の形態の構成以外の任意の構成とすることができる。
【００６７】
また、本発明においては、基部における通水路の延設方向は、基部の平面に沿って延びる完全な平面方向とする以外に、扁平状切換コック全体の上下方向寸法を大きく増加しない限りにおいて、当該平面方向と所定角度で上方又は下方に傾斜する傾斜方向として構成してもよい。同様に、基部の平面方向において隣接する位置に吐水部を設ける以外に、前記傾斜方向において隣接する位置に吐水部を設けてもよい。これらの場合でも、基部相当部材の下方に吐水部を配設して原水入水部を上下方向の通水路により吐水部に連通する場合と比較すると、扁平状切換コック全体の大幅な薄型化がやはり可能となる。即ち、本出願書類中において使用する「略平面方向」とは、上下方向と交差する方向（完全な平面方向、及び、上下方向以外の方向であって、前記完全な平面方向と所定角度で交差する傾斜方向）であればよく、この場合、従来の切換コックと比較して、扁平状切換コック全体の薄型化が可能となる。例えば、吐水部を基部の水平面に対して最大４５度の角度までの角度範囲で上方に傾斜する傾斜方向に隣接して配設することも可能であり、特に、吐水部を基部に対して上方に傾斜する傾斜方向に隣接して配設する場合、吐水部が基部よりも上方に配設されることになるため、水栓下のスペースを拡大することができる。
【産業上の利用可能性】
【００６８】
本発明に係る扁平状切換コックは、原水を吐水する第１の吐水モードと浄水等の外部水処理装置からの処理水を吐水する第２の吐水モードとの間で原水の流路を切換える各種の扁平状切換コックに適用することができる。
【符号の説明】
【００６９】
ＲＵ：原水側ユニット、ＰＵ１：浄水側ユニット、ＰＵ２：浄水側ユニット
１０：基部、１１：底壁、１１ａ：（圧力逃し弁の排水口用の）嵌合凹部
１２：上壁、１３：アダプタ装着部（原水入水口）、１４：右側壁、１５：左開口
１６：浄水側ユニット接続口、１７：弁座収容筒（下流側端部が原水出水口を構成）
１８：連絡部、１９：通水開口、２０：栓棒収容筒
２０ａ：弁体当接部（左右通水路の上流側の弁座）
２０ｂ：内周面（左右通水路の上流側の弁座）
２１：浄水入水筒、２２：（アダプタ装着部１３の）周壁、２３：螺子受
２４：取付アダプタ（原水入水口）、２５：隔壁、２６：パッキン（シール）
２７：原水入水孔、２７ａ：連通孔、２７ｂ：通水孔、２８：前後通水路
２９：左右通水路、３０：ハンドル取付部、３１：軸孔
４０：吐水部、４１：上壁、４２：周壁、４３：通水空間、４４：切換部材
４５：吐水盤、４６：ストレート吐水口、４７：シャワー吐水口
４８：切換ハンドル、４９：延長部
５０：原水出水部、５１：底壁、５２：上壁、５３：前壁、５４：右側壁
５５：左開口（キャップ装着口）、５６：内嵌合部、５７：原水導水筒
５８：弁座（左右通水路の下流側の弁座）、５８ａ：先端弁座面、５８ｂ：内周弁座面
５８ｃ：基端弁座面、５９：Ｏリング
６０：原水出水筒、６１：螺子受、６２：螺子用凹部、６３：雄螺子
６５：圧力逃し弁、６６：熱水逃し弁、６７：制御部材
７０：側面キャップ、７１：側壁、７２：前壁、７３：螺子受
８０：背面板、８１：遮蔽部、８２：雄螺子部、８３：ホースニップル
８４：嵌合凸部、８５：閉塞凸部、８６：螺子挿通部、８６ａ：螺子挿通孔
８７：締結キャップ、６３：雄螺子
９０：開閉ハンドル、９１：操作部、９２：雄螺子、９３：キャップ
１００：弁切換部材、１０１：栓棒、１０２：連結部、１０３：第１小径盤（弁体）
１０４：大径盤（弁体）、１０５：第２小径盤（弁体）、１０６：Ｏリング（弁体）
１８０：背面板、１８１：遮蔽部、１８２：（浄水入水用）雄螺子部
１８３：（浄水入水用）ホースニップル、１８５：（浄水入水用）嵌合凸部
１８７：（浄水入水用）締結キャップ
２５０：原水出水部、２５１：底壁、２５２：上壁、２５３：前壁、２５４：左側壁
２６０：浄水吐水部、２６１：浄水入水筒、２６２：浄水吐水通路
２６３：浄水吐水部、２６４：浄水吐水口
２７０：側面キャップ、２７１：側壁、２７２：前壁、２７３：螺子受
２８０：背面板、２８１：遮蔽部、２８２：雄螺子部（浄水入水用）
２８３：ホースニップル（浄水入水用）、２８４：嵌合凸部（浄水入水用）
２８７：締結キャップ
【図１】
2014227746.tif 000003
【図２】
2014227746.tif 000004
【図３】
2014227746.tif 000005
【図４】
2014227746.tif 000006
【図５】
2014227746.tif 000007
【図６】
2014227746.tif 000008
【図７】
2014227746.tif 000009
【図８】
2014227746.tif 000010
【図９】
2014227746.tif 000011
【図１０】
2014227746.tif 000012
【図１１】
2014227746.tif 000013
【図１２】
2014227746.tif 000014
【図１３】
2014227746.tif 000015
【図１４】
2014227746.tif 000016
【図１５】
2014227746.tif 000017
【図１６】
2014227746.tif 000018
【図１７】
2014227746.tif 000019
【図１８】
2014227746.tif 000020
【図１９】
2014227746.tif 000021
【図２０】
2014227746.tif 000022
【図２１】
2014227746.tif 000023
【図２２】
2014227746.tif 000024
【図２３】
2014227746.tif 000025
【図２４】
2014227746.tif 000026
【図２５】
2014227746.tif 000027
【図２６】
2014227746.tif 000028
【図２７】
2014227746.tif 000029
【図２８】
2014227746.tif 000030
【図２９】
2014227746.tif 000031
【図３０】
2014227746.tif 000032
【図３１】
2014227746.tif 000033
【図３２】
2014227746.tif 000034
【図３３】
2014227746.tif 000035
【図３４】
2014227746.tif 000036
【図３５】
2014227746.tif 000037
【図３６】
2014227746.tif 000038
【図３７】
2014227746.tif 000039
【図３８】
2014227746.tif 000040
【図３９】
2014227746.tif 000041
【図４０】
2014227746.tif 000042
【図４１】
2014227746.tif 000043
【図４２】
2014227746.tif 000044
【図４３】
2014227746.tif 000045
【図４４】
2014227746.tif 000046
【図４５】
2014227746.tif 000047
【図４６】
2014227746.tif 000048
【図４７】
2014227746.tif 000049
【図４８】
2014227746.tif 000050
【図４９】
2014227746.tif 000051
【図５０】
2014227746.tif 000052
【図５１】
2014227746.tif 000053
【図５２】
2014227746.tif 000054
【図５３】
2014227746.tif 000055